(57)【要約】【課題】遊技機に対する取付作業や交換作業を容易にすると共に外側から取外し難くすることで不正行為が行われるのを防止することができる操作スイッチを備えた遊技機を提供する。【解決手段】スロットマシンに、筒状の本体部６１１の軸直角方向に延びる被係合部６１７、軸方向基端に形成されたフランジ部６１２、及びフランジ部６１２と協働してスイッチ支持部材を挟持可能とされ外周から突出した状態に復帰とされた固定片６１４を有し取付孔に取付固定されるスイッチ本体６１０と、被係合部６１７と係合することで軸方向基端側への移動を規制する係合爪６３６を有しスイッチ本体内に保持される可動部材６３０と、可動部材６３０を基端側へ付勢するコイルバネ６４９と、可動部材６３０可動したことを検知する可動検知手段６５０と、係合爪６３６が軸直角方向へ移動するのを規制するストッパ部材６８０とを備えたＭＡＸ投入ボタン２０６を具備させる。【選択図】図２５
2008073104.tif 000002
【特許請求の範囲】
【請求項１】
筒状の本体部、及び該本体部の軸直角方向に延びる被係合部を有しスイッチ支持部材に穿設された取付孔に取付固定されるスイッチ本体と、該スイッチ本体の前記被係合部と係合することで前記スイッチ本体に対して軸方向基端側への移動を規制する係合爪を有し前記スイッチ本体内に摺動可能に保持されるボタン状の可動部材と、該可動部材を軸方向基端側へ付勢する付勢手段と、該付勢手段の付勢力に抗して前記可動部材が軸方向基端側とは反対側の軸方向先端側へ可動したことを検知する可動検知手段とを少なくとも備えた操作スイッチを具備する遊技機であって、
前記操作スイッチに、前記可動部材の前記係合爪が前記スイッチ本体の軸直角方向へ移動するのを規制するストッパ部材を更に備え、
前記スイッチ本体に、前記本体部における軸方向基端の外周に軸直角方向外方へ突出し前記取付孔を通過不能に形成されたフランジ部、及び該フランジ部と協働して前記スイッチ支持部材を挟持可能とされ前記本体部の外周から軸直角方向へ突出すると共に突出した状態に復帰できるように軸直角方向へ移動可能とされた固定片を更に有することを特徴とする遊技機。
【発明の詳細な説明】
【技術分野】
【０００１】
本発明は、ぱちんこ遊技機（一般的に「パチンコ機」とも称する）や回胴式遊技機（一般的に「パチスロ機」とも称する）等の遊技機に関するものである。
【背景技術】
【０００２】
従来より、パチスロ機（例えば、スロットマシン）等の遊技機において、遊技媒体としてのメダルを所定の投入口に投入した上で、始動レバーを操作すると、複数の図柄が描かれた複数のリールが回転して各リールに描かれた図柄列が変動表示される。そして、各リールに対応したリール停止ボタンを操作して、各リールを停止させ、停止した各リールに描かれた図柄の組合せが所定の条件を満たすと、満たされた条件に応じて、所定数のメダルが払出されたり、遊技者が多量のメダルを獲得することができる遊技者に有利な特別有利状態を発生させたりするものが知られている。
【０００３】
この種の遊技機では、始動レバーやリール停止ボタンの他に、１回の始動レバーの操作に対して使用（投入）するメダルの数を、１枚毎に指示する１枚投入ボタンや、最高枚数（例えば３枚）にするＭＡＸ投入ボタン、投入口に投入して使用しないメダルを返却させるメダル返却ボタン、等が備えられている。
【０００４】
これらリール停止ボタンやＭＡＸ投入ボタン等の操作スイッチは、一端側に鍔状のフランジ部を備えると共に外周に雄ねじ部を備えた筒状のスイッチ本体と、スイッチ本体内を摺動可能とされたボタン状の可動部材と、可動部材をスイッチ本体から突出する方向に付勢するバネと、可動部材が押下されたことを検知する可動検知センサとを主に具備したものが知られている（例えば、特許文献１）。この操作スイッチの取付固定は、操作スイッチを所定位置に支持する支持部材に穿設された取付孔に対して、スイッチ本体を取付孔に挿入した上で、支持部材の裏側で雄ねじ部にナットを螺合し、フランジ部とナットとで支持部材を挟持することで、操作スイッチを支持部材に取付固定するようになっている。
【０００５】
一方、スイッチ本体の外周に形成された雄ねじ部を廃止して、代わりにスイッチ本体の外周から外向きに突出する係止爪を形成し、この係止爪とフランジ部とで支持部材を挟持することで、操作スイッチを支持部材に取付固定するようにしたものが提案されている（例えば、特許文献２）。この操作スイッチは、支持部材の取付孔に操作スイッチを挿入することで、スイッチ本体の係止爪が取付孔の裏側端部に係止され、ワンタッチで操作スイッチを取付固定することができる。
【０００６】
【特許文献１】特開２００４−５７３８０号公報
【特許文献２】特開２００４−２０１９８０号公報
【発明の開示】
【発明が解決しようとする課題】
【０００７】
ところで、従来の遊技機における操作スイッチは、スイッチ本体に被係合部を備えると共に、可動部材に被係合部と係合する係合爪を備え、その係合爪が被係合部と係合することで、スイッチ本体から突出する方向に付勢された可動部材がスイッチ本体から抜け出さないようにしている。しかしながら、組立の関係上、係合爪が弾性変形できるようになっているので、スイッチ本体と可動部材との間にマイナスドライバ等の工具を差込んで、係合爪を変形させることで係合爪と被係合部との係合を解除して、可動部材をスイッチ本体から取外すことができる。そして、スイッチ本体内に配置されたバネや可動検知センサ等を取除くことで、スイッチ本体が貫通した筒状となり、筒状のスイッチ本体を介して遊技機内に配置された、始動レバーの本体や、種々の制御装置に対して不正行為を行うことが可能な状態となる問題がある。
【０００８】
また、特許文献２のものでは、スイッチ本体から可動部材を取外した後に、スイッチ本体の内側から係止爪を変形させることで、容易にスイッチ本体を取付孔から取外すことができ、遊技機内へと通じる孔（取付孔）がスイッチ本体の内径よりも大きくなり、より不正行為がし易くなる状態となる問題がある。
【０００９】
一方、特許文献１のものでは、スイッチ本体外周に形成された雄ねじ部にナットを螺合することで取付孔に取付固定するようにしているので、スイッチ本体の内側からナットを回転させることが難しいので、スイッチ本体を取付孔から取外し難くなっている。しかしながら、遊技機の組立てや、操作スイッチの破損・消耗等、操作スイッチを取付孔に取付けたり取外したりする際には、遊技機の内側からナットを回さなければならず、操作スイッチの取付け取外しに手間の係るものとなっていた。
【００１０】
そこで、本発明は上記の実状に鑑み、遊技機に対する取付作業や交換作業を容易にすると共に外側から取外し難くすることで不正行為が行われるのを防止することができる操作スイッチを備えた遊技機の提供を課題とするものである。
【課題を解決するための手段】
【００１１】
手段１：遊技機において、
「筒状の本体部、及び該本体部の軸直角方向に延びる被係合部を有しスイッチ支持部材に穿設された取付孔に取付固定されるスイッチ本体と、該スイッチ本体の前記被係合部と係合することで前記スイッチ本体に対して軸方向基端側への移動を規制する係合爪を有し前記スイッチ本体内に摺動可能に保持されるボタン状の可動部材と、該可動部材を軸方向基端側へ付勢する付勢手段と、該付勢手段の付勢力に抗して前記可動部材が軸方向基端側とは反対側の軸方向先端側へ可動したことを検知する可動検知手段とを少なくとも備えた操作スイッチを具備する遊技機であって、
前記操作スイッチに、前記可動部材の前記係合爪が前記スイッチ本体の軸直角方向へ移動するのを規制するストッパ部材を更に備え、
前記スイッチ本体に、前記本体部における軸方向基端の外周に軸直角方向外方へ突出し前記取付孔を通過不能に形成されたフランジ部、及び該フランジ部と協働して前記スイッチ支持部材を挟持可能とされ前記本体部の外周から軸直角方向へ突出すると共に突出した状態に復帰できるように軸直角方向へ移動可能とされた固定片を更に有する」ものであることを特徴とする。
【００１２】
ここで、「操作スイッチ」としては、遊技機としてパチスロ機（例えば、スロットマシン）にあっては、「リールを回転始動させる始動レバー」、「メダルの投入を最高枚数にするＭＡＸ投入ボタン」、「メダルの投入を１枚にする１枚投入ボタン」、「リールの回転を停止させるリール停止ボタン」、「投入口に投入されたメダルを返却させるメダル返却ボタン」、「メダルの貯留解除命令を指示するための貯留解除スイッチ」、等が挙げられる。また、遊技機としてパチンコ機にあっては、「遊技演出を補佐するチャンスボタン」、が挙げられる。
【００１３】
また、「筒状の本体部」としては、「筒状の内部が軸方向に貫通した形態のもの」、「筒状の内部を軸方向基端側と先端側とに仕切る仕切り部を備えたもの」、等が挙げられる。なお、本明細書では、本体部の軸方向一端側を「軸方向基端側」と称すると共に、軸方向一端側とは反対側の軸方向他端側を「軸方向先端側」と称し、以下、他の部材については本体部（スイッチ本体）を基準にして記載している。
【００１４】
また、スイッチ本体の被係合部と可動部材の係合爪との関係としては、「係合爪が軸直角方向外方へ移動することで被係合部との係合が解除されるもの」、「係合爪が軸直角方向内方へ移動することで被係合部との係合が解除されるもの」、等が挙げられる。
【００１５】
更に、「付勢手段」としては、弾性力を有したものであれば良く、その素材としては、「ゴム」、「樹脂」、「金属」、等を挙げることができると共に、その形状としては、「コイル状」、「板状」、「ブロック状」、「棒状」、等が挙げられる。なお、付勢手段に対する軸方向先端側の支持としては、「本体部内に形成された仕切り部により支持するもの」、「可動検知手段或いは可動検知手段を保持する電装基板により支持するもの」、「本体部の軸方向先端部に係止される先端キャップにより支持するもの」、「ストッパ部材により支持するもの」、等が挙げられる。
【００１６】
また、「可動検知手段」としては、「発光部と受光部とを有し、発光部と受光部との間を可動部材の係合爪或いは検知部が進退することで可動部材の可動を検知するもの（例えば、フォトセンサ）」、「可動部材の可動により検知アームが回動することで可動部材の可動を検知するもの（例えば、近接スイッチ）」、「可動部材の可動により磁気的な変化が発生するようにし、その磁気変化を検知することで可動部材の可動を検知するもの（例えば、磁気センサ）」、等が挙げられる。
【００１７】
更に、「突出した状態に復帰できる」とは、「本体部の外周壁と一体に形成された固定片の周りにコ字状のスリットを形成し、その繋がった部分の弾性により復帰できるようにしたもの」、「スイッチ本体とは別部材とした固定片を、スイッチ本体の外周から出没可能に保持すると共に、所定の付勢手段を用いて固定片が突出する方向に付勢することで復帰できるようにしたもの」、等が挙げられる。
【００１８】
手段１の構成によると、遊技機におけるスイッチ支持部材に穿設された取付孔に取付固定される遊技機用操作スイッチに、筒状の本体部、本体部の軸直角方向に延びる被係合部、本体部の軸方向基端の外周に軸直角方向外方へ突出し取付孔を通過不能に形成された鍔状のフランジ部、及びフランジ部と協働してスイッチ支持部材を挟持可能とされ本体部の外周から軸直角方向へ突出すると共に突出した状態に復帰できるように軸直角方向へ移動可能とされた固定片を有し取付孔に取付固定されるスイッチ本体と、スイッチ本体の被係合部と係合することでスイッチ本体の軸方向基端側への移動を規制する係合爪を有しスイッチ本体内に摺動可能に保持されるボタン状の可動部材と、可動部材を軸方向基端側へ付勢する付勢手段と、可動部材が軸方向基端側とは反対側の軸方向先端側へ可動したことを検知する可動検知手段と、可動部材の係合爪がスイッチ本体の軸直角方向へ移動するのを規制するストッパ部材とを具備するようにしたものである。
【００１９】
これにより、スイッチ本体内に保持された可動部材の係合爪が軸直角方向へ移動するのを規制するストッパ部材を備えているので、スイッチ本体と可動部材との間にマイナスドライバ等の工具を差込んで、被係合部との係合が解除される方向に係合爪を変形（移動）させようとしても、ストッパ部材によって係合爪の移動が阻止されて、被係合部との係合が維持されることとなり、可動部材がスイッチ本体から不正に取外されるのを防止することができる。従って、操作スイッチの可動部材が取外されて遊技機に対して不正行為が行われるのを防止することができる。
【００２０】
また、スイッチ本体における本体部の外周から突出するフランジ部と固定片とでスイッチ支持部材を挟持すると共に、固定片を突出した状態に復帰できるように移動可能としているので、操作スイッチを取付孔に取付固定する際に、固定片をスイッチ本体内へ没入させた状態でスイッチ本体を取付孔へ挿入し、固定片の位置が取付孔の裏面よりも裏側へでると、没入した固定片が突出した状態に復帰してフランジ部と固定片とでスイッチ支持部材を挟持しスイッチ本体が取付孔に取付固定される。つまり、操作スイッチがスイッチ支持部材に取付固定される。一方、操作スイッチを取外す場合は、遊技機の内側から固定片をスイッチ本体内に没入させた状態で、操作スイッチ全体を表側へ向かって押すことで、操作スイッチを容易に取外すことができる。従って、従来の操作スイッチのように遊技機の裏側からナットを回す必要がなく、固定片を没入させることで操作スイッチを簡単に取付孔へ取付けたり、取外したりすることができ、操作スイッチの取付作業や交換作業を容易にすることができる。
【００２１】
なお、遊技機をスロットマシンとした場合、上述した操作スイッチを、複数のリールを回転始動させる始動レバーの近くに配置されたＭＡＸ投入ボタンとすることが望ましい。詳述すると、一般的にスロットマシンでは、遊技者の操作性を向上させるために始動レバーとＭＡＸ投入ボタンとが近接して配置されている。一方、スロットマシンにおいては、遊技者が始動レバーを操作したタイミングに基づいて当落の抽選を行っており、始動レバーと始動レバーが操作されたことを受信する抽選手段（主制御基板）との間に不正な装置を介在させて始動信号のタイミングをずらすことにより、容易に当選させる等の不正行為が行われている。そして、その不正行為を行うために、始動レバーと近接して備えられたＭＡＸ投入ボタンを取外して、始動レバーの本体に対して不正な装置を介在させるようにしていた。そのため、不正行為を防止するためには、ＭＡＸ投入ボタンに対して不正対策を行う必要があった。そこで、上記の操作スイッチをスロットマシンのＭＡＸ投入ボタンに適用することで、上述したように外側からＭＡＸ投入ボタンを取外すことができなくなり、不正行為が行われるのを防止することができるスロットマシンとすることができる。
【００２２】
手段２：手段１の構成において、
「前記スイッチ本体は、軸方向基端と軸方向先端との間に配置され筒状の前記本体部内を軸方向基端側と先端側とに仕切る仕切り部を更に有し、
該仕切り部と前記可動部材との間に前記付勢手段が配置されている」ものであることを特徴とする。
【００２３】
ところで、特許文献１及び特許文献２に示された従来の操作スイッチでは、可動部材を付勢する付勢手段（バネ）の軸方向先端側（可動部材とは反対側）の支持を、スイッチ本体の先端側に係止される底部カバーや取付基板により支持するようにしているので、操作スイッチを操作するために遊技者が可動部材を押下すると、その力が、バネを介して底部カバーや取付基板とスイッチ本体とを係止する係止部分にかかることとなる。そして、可動部材を必要以上の力で操作すると係止部分の係止が解除されたり、係止部分に繰返しかかる荷重により係止部分が疲労して破損したりする不具合が発生する問題がある。
【００２４】
また、バネを介して取付基板に力が作用することとなるので、その力によって取付基板が変形し、エッチングされた電気回路が断線したり、電気部品を接続固定するハンダが割れたりして、電気的な不具合が発生する恐れがある。
【００２５】
手段２の構成によると、スイッチ本体に、筒状の本体部内を軸方向基端側と先端側とに仕切る仕切り部を形成し、その仕切り部と可動部材との間に付勢手段を配置するようにしたものである。
【００２６】
これにより、可動部材を付勢する付勢手段の軸方向先端側をスイッチ本体の仕切り部により支持することができるので、従来のように係止部を介して付勢手段を支持するようにしておらず、より強い力が作用しても確実に付勢手段を支持することができ、破損し難い操作スイッチとすることができる。
【００２７】
また、付勢手段からの力をスイッチ本体の仕切り部によって支持するようにしているので、付勢手段から可動検知手段や可動検知手段を保持する電装基板に力が作用するのを防止することができ、操作スイッチにおいて電気的な不具合が発生するのを防止することができる。
【００２８】
更に、筒状の本体部を仕切り部によって軸方向基端側と先端側とに仕切っているので、仮に可動部材が不正に取外されても、本体部が仕切り部によって閉鎖されているので、そのままでは不正行為を行うことができず、不正行為を行うためには更にスイッチ本体を取付孔から取外さなければならず、不正行為のし難い操作スイッチとすることができる。
【００２９】
なお、仕切り部を配置する軸方向の位置として、固定片が配置された位置よりも軸方向基端側へ寄った位置に仕切り部を配置するようにした場合、仮に、表側から可動部材が不正に取外されても、仕切り部よりも奥に固定片が配置されているので、スイッチ本体を取付孔から取外すために固定片を操作しようとしても、仕切り部に遮られて操作することができず、表側からスイッチ本体を取外せないようにすることができ、不正行為が行われるのを確実に防止することができる。
【００３０】
手段３：手段２の構成において、
「前記スイッチ本体は、前記固定片が軸方向基端と前記仕切り部との間に配置されている」ものであることを特徴とする。
【００３１】
ところで、軸方向基端から固定片までの距離は、操作スイッチを取付固定するスイッチ支持部材の厚さに依存するので、固定片を仕切り部と軸方向先端との間に配置するようにした場合、つまり、軸方向基端と固定片との間に仕切り部を配置するようにした場合、蓋然的に軸方向基端から仕切り部までの距離は、スイッチ支持部材の厚さよりも小さいものとなる。そのため仕切り部の基端側に配置される可動部材の可動範囲（ストローク）も小さくなり、操作スイッチにおける操作感が得られ難いもののとなる恐れがある。
【００３２】
手段３の構成によると、スイッチ本体における固定片を、本体部の軸方向基端と仕切り部との間に配置するようにしたものである。つまり、本体部の仕切り部を、固定片よりも軸方向先端側に配置するようにしたものである。
【００３３】
これにより、スイッチ支持部材の厚さが薄くても、軸方向基端から仕切り部までの距離を充分に取ることが可能となり、可動部材の可動範囲（ストローク）が小さくなるのを抑制することができ、明確な操作感の得られる操作スイッチとすることができる。
【００３４】
なお、上述したように、可動部材の係合爪をストッパ部材によって移動するのを規制して表側から可動部材を取外せないようにしているので、軸方向基端と仕切り部との間に固定片を配置するようにしても、不正行為が行われるのを防止することができ、上述した作用効果を充分に奏することができる。
【００３５】
手段４：手段１から手段３までの何れか一つの構成において、
「前記スイッチ本体における前記本体部の筒内を閉鎖するように該本体部の軸方向先端部に係止される先端キャップを更に具備し、
該先端キャップによって前記ストッパ部材が所定位置に保持される」ものであることを特徴とする。
【００３６】
ここで、「先端キャップによるストッパ部材を保持する」構造としては、「先端キャップにストッパ部材を保持する保持部を備えることでストッパ部材を保持するもの」、「スイッチ本体における本体部内に仕切り部を設け、仕切り部と先端キャップとでストッパ部材を挟持することでストッパ部材を保持するもの」、等が挙げられる。
【００３７】
手段４の構成によると、スイッチ本体における本体部の軸方向先端部に係止される先端キャップを更に備えるようにし、その先端キャップによってストッパ部材を所定位置に保持するようにしたものである。
【００３８】
これにより、先端キャップによりストッパ部材を保持するようにしているので、ストッパ部材が軸方向先端側から脱落するのを防止することができ、ストッパ部材により可動部材の係合爪の移動を確実に規制させて、可動部材が不正に取外されるのを防止して不正行為が行われるのを防止することができる。
【００３９】
また、スイッチ本体における本体部内に仕切り部を備えた場合、その仕切り部と先端キャップとでストッパ部材を挟持することで、ストッパ部材を所定位置に保持することができ、これによっても、上記と同様の作用効果を奏することができる。
【００４０】
なお、可動検知手段を保持する電装基板を先端キャップの代わりに用いて、電装基板をスイッチ本体の先端部に係止させると共に、電装基板でストッパ部材を保持するようにすることが考えられるが、この場合、電装基板に対してスイッチ本体と係止する部分や、ストッパ部材を保持する部分において、力が作用する場合があり、その力によって電装基板が歪んで、配線が断線したり、ハンダ割れが発生したりする恐れがある。しかしながら、本手段によれば、電装基板とは異なる先端キャップを用いているので、電装基板に作用する力を可及的に少なくすることができ、電気的な不具合が発生するのを防止することができる。
【００４１】
手段５：手段４の構成において、
「前記スイッチ本体は、前記仕切り部に前記可動部材の前記係合爪が通過可能な係合爪通過孔を更に有し、
前記ストッパ部材が、前記仕切り部と前記先端キャップとで挟持されている」ものであることを特徴とする。
【００４２】
手段５の構成によると、スイッチ本体の仕切り部に、可動部材の係合爪が通過可能な係合爪通過孔を備えると共に、ストッパ部材を仕切り部と先端キャップとで挟持することでストッパ部材を所定位置に保持するようにしたものである。つまり、スイッチ本体の軸方向基端側から本体部内へ挿入された可動部材の係合爪が、仕切り部の係合爪通過孔を通って仕切り部よりも軸方向先端側でスイッチ本体に対して係合するようにした上で、仕切り部の軸方向先端側でストッパ部材により係合爪の軸直角方向への移動を規制すると共に、ストッパ部材を仕切り部と先端キャップとで挟持して軸方向への移動を規制するようにしたものである。
【００４３】
これにより、スイッチ本体内に可動部材を挿入した上で、スイッチ本体の軸方向先端側からストッパ部材をスイッチ本体内に挿入して本体部の軸方向先端部に先端キャップを係止するだけで、操作スイッチを容易に組立てることができ、操作スイッチの組立てにかかるコストが増加するのを抑制することができる。
【００４４】
また、可動部材の係合爪を、スイッチ本体の仕切り部よりも軸方向先端側に位置するようにしているので、操作スイッチの表側からスイッチ本体と可動部材との間にマイナスドライバ等の工具を差込んで、係合爪の係合を解除しようとしても、仕切り部が障害となって係合爪を移動させ難くすることができ、可動部材を取外して不正行為を行おうとするのを抑制することができる。
【００４５】
更に、ストッパ部材を仕切り部と先端キャップとで挟持するようにしているので、スイッチ本体や先端キャップに、ストッパ部材を所定位置に保持するための保持手段（例えば、係合爪やビスによる固定保持、など）を備える必要がなく、操作スイッチの構成を簡略化して操作スイッチにかかるコストを低減させることができる。
【００４６】
手段６：手段１から手段５までの何れか一つの構成において、
「前記スイッチ本体は、前記固定片に軸方向先端側へ向かうに従って軸直角方向内方へ傾斜するガイド部が形成されている」ものであることを特徴とする。
【００４７】
手段６の構成によると、スイッチ本体の固定片に、軸方向先端側へ向かうに従って軸直角方向内方へ傾斜するガイド部を備えるようにしたものである。
【００４８】
これにより、操作スイッチを、軸方向先端側からスイッチ支持部材の取付孔に挿入すると、取付孔の周縁部がガイド部と当接することで、軸直角方向に移動可能とされた固定片がガイド部のカム作用によって軸直角方向内方へ移動してスイッチ本体内へと没入し、取付孔を通過できるようになる。そして、取付孔を通過して固定片がスイッチ支持部材の裏側に達すると、本体部から突出した状態に自動的に復帰して、フランジ部と固定片とでスイッチ支持部材を挟持することとなり、操作スイッチを取付孔に挿入するだけで、簡単に操作スイッチをスイッチ支持部材に取付固定することができ、取付けにかかる手間を簡略化することができる。
【００４９】
手段７：手段１から手段６までの何れか一つの構成において、
「前記可動検知手段を保持する電装基板を更に具備する」ものであることを特徴とする。
【００５０】
手段７の構成によると、可動検知手段を電装基板によって保持するようにしたものである。
【００５１】
これにより、電装基板に可動検知手段を実装するようにしているので、電装基板によって可動検知手段を位置決めし易くすることができ、可動部材の可動を確実に検知できる位置に可動検知手段を位置決めして、操作スイッチのスイッチ機能が確実に作動するようにすることができる。
【００５２】
なお、電装基板に、可動検知手段とは別に、ＬＥＤ等を用いた発光手段を保持するようにしても良く、発光手段により操作スイッチを発光装飾させて、操作スイッチを目立たせたり、スイッチ操作が確実に行われたことを識別させたりすることができる。
【００５３】
手段８：手段７の構成において、
「前記電装基板が、前記仕切り部と前記先端キャップとで挟持されている」ものであることを特徴とする。
【００５４】
手段８の構成によると、電装基板を、仕切り部と先端キャップとで挟持するようにしたものである。
【００５５】
これにより、電装基板を保持するための保持手段（例えば、係合爪やビス止め等）を備える必要がなく、電装基板を簡単に保持することができるので、操作スイッチの組立てにかかる手間を簡略化することができ、操作スイッチのコストが増加するのを抑制することができる。
【００５６】
なお、ストッパ部材を、仕切り部と電装基板との間に配置するようにしても良いし、電装基板と先端キャップとの間に配置するようにしても良い。また、電装基板を挟持する際には、電装基板が歪み難いように挟持することが望ましく、これにより、電装基板での電気的な不具合が発生するのを抑制することができる。
【００５７】
手段９：手段１から手段８までの何れか一つの構成において、
「前記可動部材は、前記係合爪が軸直角方向内方へ移動することで前記スイッチ本体の前記被係合部との係合が解除される形態とされ、
前記ストッパ部材は、前記係合爪が軸直角方向内方へ移動するのを規制する」ものであることを特徴とする。
【００５８】
ところで、係合爪が軸直角方向外方へ移動することで被係合部との係合が解除されるようにした場合、筒状の本体部内に配置された可動部材の係合爪を軸直角方向外方へ移動できるようにするためには、本体部の外周壁に係合爪が移動できる開口部を形成するか、或いは、本体部内面との間に所定量の隙間が形成されるように係合爪を軸直角方向内方へオフセットした位置に形成することが考えられる。しかしながら、本体部の外周壁に開口部を形成するようにした場合、筒状の本体部の軸方向に対して直角方向に開口部を形成するためには、本体部を成形するための成形型が複雑な機構を有したものが必要となり、本体部にかかるコストが増加する問題がある。一方、係合爪を内方へオフセットした位置に形成するようにした場合、係合爪がスイッチ本体の中心に寄るためスイッチ本体内の使用可能空間が狭くなり、可動検知手段を配置（収納）し難くなったり、発光装飾用の発光手段を備えられなくなったりする恐れがある。
【００５９】
また、係合爪が軸直角方向外方へ移動することで被係合部との係合が解除されるようにした場合、つまり、可動部材の係合爪の被係合部と係合する部位を、軸直角方向内方へ突出するよう形成した場合、可動部材を成形する成形型では、係合爪の部分が内側でアンダー形状となり形成型に複雑な型抜き機構を備えさせなければならなくなり、可動部材にかかるコストが増加する問題がある。
【００６０】
更に、係合爪が軸直角方向外方へ移動することで被係合部との係合が解除されるようにすると共に係合爪を対向配置するようにした場合、ストッパ部材を係合爪の外側に配置する必要があり、一つのストッパ部材で二つの係合爪に対応させるようにするためには、少なくともストッパ部材の断面をコ字形状としなければならず、ストッパ部材が大きくなる。そのため、相対的にスイッチ本体内が狭くなり、可動検知手段等が備え難くなって、操作スイッチとしての機能が得られなくなる恐れがある。
【００６１】
手段９の構成によると、可動部材の係合爪を軸直角方向内方へ移動させることで被係合部との係合が解除されるようにすると共に、ストッパ部材によって係合爪が軸直角方向内方へ移動するのを阻止するようにしたものである。
【００６２】
これにより、スイッチ本体の外周壁に、可動部材における係合部との係合を解除させるための開口部を形成する必要がないので、スイッチ本体を成形する成形型の構造が複雑なものとなるのを抑制してスイッチ本体にかかるコストを低減させることができる。また、可動部材の係合爪の係合する部位が、軸直角方向外方へ突出した形態となり、係合爪が外側でアンダー形状となるので、複雑な型抜き機構が不要となり可動部材を成形する成形型のコストが増加するのを抑制して可動部材にかかるコストを抑制することができる。
【００６３】
また、ストッパ部材を係合爪の内側に配置すれば係合爪の軸直角方向内方への移動を阻止することができるので、複数の係合爪を備えていても、板状或いはブロック状のストッパ部材一つで対応することができ、ストッパ部材にかかるコストを低減させることができる。従って、操作スイッチの製造にかかるコストを効果的に抑制することができる。
【００６４】
また、係合爪をスイッチ本体の本体部内面に可及的に近づけた位置に配置することができるので、相対的に、スイッチ本体内を広くすることができ、可動検知手段を確実に収納させてスイッチとしての機能を確実に備えたものとすることができると共に、可動検知手段の他に発光手段等を備えることが可能となり、より機能性の高い操作スイッチとすることができる。
【００６５】
手段１０：手段１から手段９までの何れか一つの構成において、
「前記操作スイッチは、遊技者が操作することで遊技が開始される操作手段を中心とした所定範囲内に配置されている」ものであることを特徴とする。
【００６６】
ここで、「操作手段」としては、「遊技機としてパチスロ機の場合では、リールを回転させる始動用の始動レバー」、「遊技機としてパチンコ機の場合では、遊技球を打ち込み操作するための操作ハンドル」、等が挙げられる。
【００６７】
また、「所定範囲内」とは、操作手段を中心として半径２０ｃｍ以内、若しくは、半径１５ｃｍ以内が望ましい。
【００６８】
手段１０の構成によると、遊技機において、操作手段を中心に所定範囲内（半径２０ｃｍ以内、若しくは、半径１５ｃｍ以内）に配置された操作スイッチに対して、本発明の操作スイッチを適用するものである。
【００６９】
これにより、遊技を開始させる操作手段から所定範囲内に配置された操作スイッチを、上記した操作スイッチとしており、操作手段に対して不正行為を行おうために、操作スイッチを取外そうとしても、上記したように、ストッパ部材により可動部材の係合爪の係合が解除されるのを阻止して、操作スイッチを取外すことができないので、不正行為を行うことができず、不正行為を防止することが可能な遊技機とすることができる。
【００７０】
手段１１：遊技機において、
「遊技者が操作することで遊技が開始される操作手段を中心とした所定範囲内に配置されると共に、スイッチ支持部材に穿設された取付孔に取付固定される操作スイッチを具備する遊技機であって、
前記操作スイッチに、
筒状の本体部、該本体部の軸方向基端の外周に軸直角方向外方へ突出し前記取付孔を通過不能に形成されたフランジ部、該フランジ部が形成された軸方向基端と軸方向先端との間に配置され筒状の前記本体部内を軸方向基端側と先端側とに仕切る仕切り部、該仕切り部と前記フランジ部との間に配置され前記本体部の外周から軸直角方向へ突出すると共に突出した状態に復帰できるように軸直角方向へ移動可能とされ前記フランジ部と協働して前記スイッチ支持部材を挟持可能な固定片、該固定片に形成され軸方向先端側へ向かうに従って軸直角方向内方へ傾斜するガイド部、前記仕切り部に形成された係合爪通過孔、及び前記仕切り部よりも軸方向先端側に配置され軸直角方向に延びる被係合部を有したスイッチ本体と、
該スイッチ本体の前記係合爪通過孔を前記本体部の軸方向基端側から通過して前記スイッチ本体の前記被係合部と係合することで前記スイッチ本体に対して軸方向基端側への移動を規制すると共に軸直角方向内方へ移動することで前記被係合部との係合が解除される係合爪を有し、前記スイッチ本体内に摺動可能に保持されるボタン状の可動部材と、
該可動部材の前記係合爪が軸直角方向内方へ移動するのを規制し、前記スイッチ本体における前記仕切り部の軸方向先端側に配置されるストッパ部材と、
該ストッパ部材を前記スイッチ本体の前記仕切り部とで挟持し、前記本体部の筒内を閉鎖するように該本体部の軸方向先端部に係止される先端キャップと、
前記スイッチ本体の前記仕切り部と前記可動部材との間に配置され、該可動部材を軸方向基端側へ付勢する付勢手段と、
該付勢手段の付勢力に抗して前記可動部材が軸方向基端側とは反対側の軸方向先端側へ可動したことを検知する可動検知手段と、
該可動検知手段を保持し、前記ストッパ部材と前記先端キャップとの間に挟持される電装基板と
を備える」ものであることを特徴とする。
【００７１】
手段１１の構成によると、遊技機において、遊技者が操作することで遊技が開始される操作手段を中心とした所定範囲内に配置されると共に遊技機におけるスイッチ支持部材に穿設された取付孔に取付固定される操作スイッチに、筒状の本体部、本体部の軸方向基端に軸直角方向外方へ突出するフランジ部、軸方向基端と軸方向先端との間に配置され本体部内を軸方向基端側と先端側とに仕切る仕切り部、仕切り部とフランジ部との間に配置され外周から軸直角方向へ突出すると共に突出した状態に復帰できるように軸直角方向へ移動可能とされフランジ部と協働してスイッチ支持部材を挟持可能な固定片、固定片に形成され軸方向先端側へ向かうに従って軸直角方向内方へ傾斜するガイド部、仕切り部に形成された係合爪通過孔、及び仕切り部よりも軸方向先端側に配置され軸直角方向に延びる被係合部を有したスイッチ本体と、スイッチ本体の係合爪通過孔を本体部の軸方向基端側から通過して被係合部と係合することで軸方向基端側への移動が規制されると共に軸直角方向内方へ移動することで被係合部との係合が解除される係合爪を有し、スイッチ本体内に摺動可能に保持されるボタン状の可動部材と、可動部材の係合爪が軸直角方向内方へ移動するのを規制し仕切り部の軸方向先端側に配置されるストッパ部材と、ストッパ部材を仕切り部とで挟持し本体部の筒内を閉鎖するように本体部の軸方向先端部に係止される先端キャップと、仕切り部と可動部材との間に配置され可動部材を軸方向基端側へ付勢する付勢手段と、付勢手段の付勢力に抗して可動部材が軸方向基端側とは反対側の軸方向先端側へ可動したことを検知する可動検知手段と、可動検知手段を保持しストッパ部材と先端キャップとの間に挟持される電装基板とを備えさせたものである。
【００７２】
これにより、スイッチ本体と可動部材との間にマイナスドライバ等の工具を差込んで、被係合部との係合が解除される軸直角方向内方へ係合爪を変形（移動）させようとしても、ストッパ部材によって係合爪の移動が阻止されて、被係合部との係合が維持されることとなり、可動部材がスイッチ本体から不正に取外されるのを防止することができる。従って、操作スイッチの可動部材が取外されて遊技機に対して不正行為が行われるのを防止することができる。
【００７３】
また、操作スイッチを、軸方向先端側からスイッチ支持部材の取付孔に挿入すると、取付孔の周縁部がガイド部と当接し、軸直角方向に移動可能とされた固定片がガイド部のカム作用によって軸直角方向内方へ移動してスイッチ本体内へと没入し、取付孔を通過できるようになる。そして、取付孔を通過して固定片がスイッチ支持部材の裏側に達すると、本体部から突出した状態に自動的に復帰して、フランジ部と固定片とでスイッチ支持部材を挟持することとなり、操作スイッチがスイッチ支持部材に取付固定される。一方、操作スイッチを取外す場合は、遊技機の内側から固定片をスイッチ本体内に没入させた状態で、操作スイッチ全体を表側へ向かって押すことで、操作スイッチを容易に取外すことができる。従って、従来の操作スイッチのように遊技機の裏側からナットを回す必要がなく、固定片を没入させることで操作スイッチを簡単に取付孔へ取付けたり、取外したりすることができ、操作スイッチの取付作業や交換作業を容易にすることができる。
【００７４】
更に、可動部材を付勢する付勢手段の軸方向先端側をスイッチ本体の仕切り部により支持することができるので、従来のように係止部を介して付勢手段を支持するようにしておらず、より強い力が作用しても確実に付勢手段を支持することができ、破損し難い操作スイッチとすることができると共に、付勢手段からの力をスイッチ本体の仕切り部によって支持するようにしているので、付勢手段から可動検知手段や可動検知手段を保持する電装基板に力が作用するのを防止することができ、操作スイッチにおいて電気的な不具合が発生するのを防止することができる。
【００７５】
また、筒状の本体部を仕切り部によって軸方向基端側と先端側とに仕切っているので、仮に可動部材が不正に取外されても、本体部が仕切り部によって閉鎖されているので、そのままでは不正行為を行うことができず、不正行為を行うためには更にスイッチ本体を取付孔から取外さなければならず、不正行為のし難い操作スイッチとすることができる。
【００７６】
更に、スイッチ本体における固定片を、本体部の軸方向基端と仕切り部との間に配置するようにしているので、スイッチ支持部材の厚さが薄くても、軸方向基端から仕切り部までの距離を充分に取ることが可能となり、可動部材の可動範囲（ストローク）が小さくなるのを抑制することができ、明確な操作感の得られる操作スイッチとすることができる。
【００７７】
また、スイッチ本体内に可動部材を挿入した上で、スイッチ本体の軸方向先端側からストッパ部材をスイッチ本体内に挿入して本体部の軸方向先端部に先端キャップを係止するだけで、操作スイッチを容易に組立てることができ、操作スイッチの組立てにかかるコストが増加するのを抑制することができる。
【００７８】
また、可動部材の係合爪を、スイッチ本体の仕切り部よりも軸方向先端側に位置するようにしているので、操作スイッチの表側からスイッチ本体と可動部材との間にマイナスドライバ等の工具を差込んで、係合爪の係合を解除しようとしても、仕切り部が障害となって係合爪を移動させ難くすることができ、可動部材を取外して不正行為を行おうとするのを抑制することができる。
【００７９】
更に、ストッパ部材を係合爪の内側に配置すれば係合爪の軸直角方向内方への移動を阻止することができるので、複数の係合爪を備えていても、板状或いはブロック状のストッパ部材一つで対応することができ、ストッパ部材にかかるコストを低減させることができる。従って、操作スイッチの製造にかかるコストを効果的に抑制することができる。
【００８０】
また、係合爪をスイッチ本体の本体部内面に可及的に近づけた位置に配置することができるので、相対的に、スイッチ本体内を広くすることができ、可動検知手段を確実に収納させてスイッチとしての機能を確実に備えたものとすることができると共に、可動検知手段の他に発光手段等を備えることが可能となり、より機能性の高い操作スイッチとすることができる。
【００８１】
更に、遊技を開始させる操作手段から所定範囲内に配置された操作スイッチを、上記した操作スイッチとしており、操作手段に対して不正行為を行おうために、操作スイッチを取外そうとしても、上記したように、ストッパ部材により可動部材の係合爪の係合が解除されるのを阻止して、操作スイッチを取外すことができないので、不正行為を行うことができず、不正行為を防止することが可能な遊技機とすることができる。
【００８２】
手段１２：手段１から手段１１までの何れか一つの遊技機において、
前記遊技機は、パチスロ機であることを特徴とする。
ここで、パチスロ機とは、投入媒体であるメダルを投入し、メダルの投入後、始動用操作スイッチ（操作手段）の操作によって、夫々複数の図柄が描かれた複数のリールを回転させる等して、各リール等によって構成された図柄列を変動表示させるとともに、その後、停止用操作スイッチ（例えばストップボタン）の操作に応じて各図柄列の変動表示を停止させる、といった遊技が遊技者によって行われるものである。換言すれば、停止操作機能付きのスロットマシンとして捉えることができるものである。なお、所定時間が経過しても停止用操作スイッチが操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合わせが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
【００８３】
手段１２の構成によると、パチスロ機において、上述した手段のいずれかの作用効果を奏することができる。
【００８４】
手段１３：手段１から手段１１までの何れか一つの遊技機において、
前記遊技機は、パチンコ機であることを特徴とする。
ここで、パチンコ機とは、遊技者が遊技機に投入する媒体である投入媒体と、遊技者が行う実質的な遊技に用いられる媒体である遊技媒体とを同一のものとした遊技機であり、投入された例えば遊技球等の媒体を用いて遊技が行われるタイプの遊技機の一種である。具体的には、「操作ハンドル（操作手段）の操作に対応して遊技球を発射する発射装置と、多数の障害釘、役物、表示手段等の適宜の機器が組み込まれたり、始動入賞口、大入賞口、通過口、到達口等の遊技球が入球する適宜の入球口が設けられた遊技領域と、発射装置から遊技領域に遊技球を導くレールと、遊技領域に導かれた遊技球の入球口への入球に応じたり、複数の入球口への遊技球の入球態様に応じて、所定数の遊技球を賞球として払い出す払出手段とを具備するもの」である。
【００８５】
なお、パチンコ機としては、種々のタイプのものがあり、一般に「デジパチ機」と称されるものに代表される「入球口への入球状態を検出する入球状態検出手段（遊技状態検出手段として捉えることもできる）と、入球状態検出手段によって入球が検出されると所定の抽選を行う抽選手段と、抽選手段の抽選結果に応じて特別図柄を変動させると共に変動を停止させる特別図柄表示手段とを備えたもの」や「加えて、特別図柄の変動中に、複数の図柄からなる図柄列を変動表示し、図柄列にて図柄を停止表示させたり、キャラクタや種々の物品等の表示物を描写し、表示物を動作させたりする等によって適宜の演出表示を行う演出表示手段を更に具備するもの」、一般に「ハネモノ機」と称されるものに代表される「役物内での遊技球の振分けによって抽選を行う抽選手段を備えたもの」、一般に「アレパチ機」と称されるものに代表される「例えば１６個等の所定個数の遊技球により１ゲームが行われ、１ゲームにおける複数の入球口への遊技球の入球態様に応じて所定個数の遊技球の払出しを行うもの」等を例示することができる。
【００８６】
手段１３の構成によると、パチンコ機において、上述した手段のいずれかの作用効果を奏することができる。
【００８７】
手段１４：手段１から手段１１までの何れか一つの遊技機において、
前記遊技機は、パチンコ機とパチスロ機とを融合させてなるものであることを特徴とする。
ここで、「パチンコ機とパチスロ機とを融合させてなる遊技機」とは、複数個（例えば５個）の遊技球を１単位の投入媒体とし、投入媒体を投入した後、始動用操作スイッチ（操作手段）の操作に応じて複数の図柄からなる図柄列を変動表示させるとともに、その後、停止用操作スイッチ（例えばストップボタン）の操作に応じて図柄列の変動を停止させるものである。なお、所定時間が経過しても停止用操作スイッチが操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合わせが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
【００８８】
手段１４の構成によると、パチンコ機とパチスロ機とを融合させてなる遊技機において、上述した手段のいずれかの作用効果を奏することができる。
【発明の効果】
【００８９】
このように、本発明によれば、遊技機に対する取付作業や交換作業を容易にすると共に遊技機の外側から取外し難くすることで不正行為が行われるのを防止することができる操作スイッチを備えた遊技機を提供することができる。
【発明を実施するための最良の形態】
【００９０】
以下に本発明の実施の形態を遊技機たるスロットマシンを例に図面を参照しつつ説明する。なお、図１はスロットマシンの分解斜視図、図２は扉形前面部材を省略した状態を示すスロットマシンの分解斜視図、図３はスロットマシンの斜視図、図４は扉形前面部材を省略した状態を示すスロットマシンの縦断面図、図５は図４のＺ１部拡大図、図６はコネクタホルダーを移動させた状態を示す図４のＺ１部拡大図、図７は扉形前面部材を省略した状態を示すスロットマシンの横断面図、図８（ａ）は図７のＺ２部拡大図、図８（ｂ）はコネクタホルダーを移動させた状態を示す図７のＺ２部拡大図、図９は図８（ａ）の要部を示す拡大図、図１０は背板側を示すスロットマシン要部の横断面図、図１１はケース部材の分解斜視図、図１２はケース部材を後ろから見た斜視図、図１３（ａ），（ｂ）はコネクタホルダーの仮止め状態を説明するケース部材の要部の斜視図、図１４は配線中継部材の分解斜視図、図１５は配線中継部材のカバー体を省略した正面図、図１６はコネクタホルダーの分解斜視図、図１７はケース部材を止めるストッパーの斜視図、図１８は他の形態を示すストッパーの斜視図、図１９，図２０はケース部材のガイド構造を示す要部の断面図、図２１は把手の他の形態を示す図柄変動表示装置の部分斜視図、図２２はケース部材と外本体側のストッパーとの関係を示す要部の斜視図、図２３は配線窓と図柄変動表示装置のリールとの関係を示す要部の断面図である。
【００９１】
本発明のスロットマシン１は、前面が開口する箱形の外本体１００と、該外本体１００の前面に横開きの扉状に回動可能に取り付けた扉形前面部材２００と、複数の図柄を駆動手段で変動させる図柄変動表示装置３００と、前記外本体１００に対し着脱自在であって前面に開口部４０１を有するケース部材４００と、任意の画像を表示する画像表示体５００と、を有する。
【００９２】
［外本体］
外本体１００は、図１〜図４に示したように底板１０１の左右に側板１０２，１０２を取着すると共に該側板１０２，１０２の頂部に天板１０３を設置して正面視縦長「口」字形の枠状となし、その枠の背に背板１０４を固着して前面のみ開口する箱形に形成してなる。前記左右の側板１０２，１０２は前縁が後傾状態に僅かに傾斜する台形になっており、従って外本体１００の開口は後傾状態の傾きを有する。
【００９３】
［外本体−仕切板］
外本体１００内には高さのほぼ中央に棚板状の仕切板１０５が設けられている。該仕切板１０５は金属製であって、図１，図２に示したように中央に突段部１０６を有する正面視略凸形であり、両端に形成した垂直な取付片１０７を外本体１００の側板１０２，１０２内面に固着し、また、後端に形成した垂直な取付片１０８を外本体１００の背板１０４内面に固着して取り付けられる。なお、仕切板１０５の後端の取付片１０８にはバーリング加工（下孔の孔径をポンチで広げながら短筒状の突起を立ち上げる金属加工）による筒状突起（図示せず）が形成されており、該筒状突起を外本体１００の背板１０４にプレ加工した小孔（図示せず）に打ち込んで位置決めされる。また、仕切板１０５の両横の最奥部には外本体１００の背板１０４との間に配線用の開口１０９が形成されている。
【００９４】
外本体１００内の前記仕切板１０５より下のスペースには、遊技媒体たるメダルを前記扉形前面部材２００の前面下部にあるメダル用受皿２０１に放出するメダル放出装置１１０と、メダル放出装置１１０からオーバーフローするメダルを貯めるメダル用補助収納箱１１１と、電源装置１１２等が設けられている。
【００９５】
前記メダル放出装置１１０は、駆動手段を内蔵した装置本体１１０ａにメダル貯留用のホッパ１１０ｂを取り付けたものであり、装置本体１１０ａの前面にメダルの放出口１１０ｃが設けられていて、ホッパ１１０ｂ内にあるメダルが前記駆動手段の作動により放出口１１０ｃに向けて１枚ずつ送り出される。また、ホッパ１１０ｂには溢れたメダルを排出させるオーバーフロー樋１１０ｄが設けてあり、そのオーバーフロー樋１１０ｄの突端下方に前記したメダル用補助収納箱１１１が臨む。なお、メダル放出装置１１０のメダル放出機構は、現在公知のどのようなものを採用してもよく、よって詳細な説明を省略する。
【００９６】
一方、外本体１００内の仕切板１０５より上のスペースには前記ケース部材４００が納められ、また、外本体１００の背板１０４の内面には後述する配線手段の中核となる配線中継部材１１３が取り付けられている（図１，図２参照）。
【００９７】
［扉形前面部材］
図３に扉形前面部材２００の表側が、また、図１に扉形前面部材２００の裏側が示されている。扉形前面部材２００は、表側の下方にメダル用受皿２０１を有し、また、表側のほぼ中央に操作部２０２が設けられている。この操作部２０２には、メダル投入用の投入口２０３と、後述するメイン基板４０９のメモリーにデータとして蓄えられているメダルから１枚のみの投入（引き落とし）を指示する１枚投入ボタン２０５と、同じく１回のゲームで使用可能な最高枚数（例えば３枚）の投入を指示するＭＡＸ投入ボタン２０６と、後述するメダルセレクタ２０７の中に詰まったメダルをメダル用受皿２０１に戻すためのメダル返却ボタン２０８と、メイン基板４０９のメモリーにデータとして蓄えられているメダルの貯留解除命令（精算による放出命令）を入力するための貯留解除スイッチ２０９と、前記図柄変動表示装置３００を作動させる始動レバー２１０と、図柄変動表示装置３００の各リール３０１ａ，３０１ｂ，３０１ｃを停止させる３個のリール停止ボタン２１１ａ，２１１ｂ，２１１ｃ等が設けられている。もちろんここに示した操作部２０２の構成は１つの例示であり、これらに限定されるものではない。
【００９８】
また、前記投入口２０３の裏側にはメダルセレクタ２０７が設けられており、そのメダルセレクタ２０７の横にメダル樋２１２が、また、下に返却樋２１３が接続している。メダルセレクタ２０７は内蔵したソレノイド（図示せず）をＯＮ・ＯＦＦさせることによって流路を切り替える公知のものであり、遊技者からのメダルの投入を待つ遊技状態のときには流路をメダル樋２１２側に、また、規定枚数を超えたメダルの投入など、メダルの投入を拒否する遊技状態のときには流路を返却樋２１３側に設定する。前記メダル樋２１２は、扉形前面部材２００が外本体１００の前面に被さる閉じ位置にあるときその突端がメダル放出装置１１０のホッパ１１０ｂ内に臨むようになっており、投入口２０３からメダルセレクタ２０７を通ってメダル樋２１２に流れたメダルはホッパ１１０ｂに行き着く。一方、前記返却樋２１３は表側のメダル用受皿２０１に繋がっており、投入口２０３からメダルセレクタ２０７を通って返却樋２１３に流れたメダルはメダル用受皿２０１に戻る。
【００９９】
扉形前面部材２００は外本体１００の前面全体をカバーする大きさであって、その上半部は、透明板を嵌めたゲーム用の透視窓２１４になっており、その透視窓２１４から前記画像表示体５００と図柄変動表示装置３００が上下に並んで見えるようになっている。また、扉形前面部材２００の自由端側の一側には専用キー（図示せず）を使って開閉操作する錠装置２１５が設けてある。
【０１００】
［図柄変動表示装置］
図柄変動表示装置３００はリール回転式表示装置であって、モータ等の駆動手段３０３で個別に回転可能な例えば３個のリール３０１ａ，３０１ｂ，３０１ｃと、該リール３０１ａ，３０１ｂ，３０１ｃを組込み・収容する装置ケース３０２とを有し、リール３０１ａ，３０１ｂ，３０１ｃの周面に描いた複数の図柄（図示せず）の組合せで遊技を行う周知のものである。
【０１０１】
前記装置ケース３０２は、あたかも横倒しにした八角柱から正面（遊技者）に向かう３面を除いた変形六角柱形態であって、底部板３０４と、天部板３０５と、図１１において向かって右側の右側板３０６と、同じく左側の左側板３０７と、後面を覆う垂直な後部板３０８と、天部板３０５と後部板３０８の間に設けた上斜板３０９と、底部板３０４と後部板３０８の間に設けた下斜板３１０で囲った箱形であり、前記リール３０１ａ，３０１ｂ，３０１ｃの円弧の一部が装置ケース３０２の正面からはみ出す状態になっている。
【０１０２】
また、装置ケース３０２の天部板３０５には指掛可能な使用状態と、天板部３０５に伏した不使用状態とに変化可能な把手３１１が設けられており、該把手３１１に指を掛けて持ち運ぶようになっている。このように装置ケース３０２の天部板３０５に上記のごとく変化可能な把手３１１を設ける構成は、ケース部材４００の強度アップ策と密接に関連する。すなわち、実施形態では後述するようにケース部材４００の開口部４０１に補強桟４０２を設け、もってケース部材４００の開口部４０１に画像表示体５００を片持ちさせるに十分な強度を付与しているが、そのような補強桟４０２は開口部４０１を横切るから装置ケース３０２のケース部材４００への出し入れに対し、明らかに障害となる。これに対し実施形態のように把手３１１を変化可能にして天部板３０５に伏させておけば、把手３１１の出っ張りがなくなるから、装置ケース３０２が補強桟４０２の下を難なく通過できるのである。従って、装置ケース３０２の天部板３０５に上記のように変化可能な把手３１１を設けてこそ、ケース部材４００の開口部４０１に該開口部４０１を横切る向きの補強桟４０２を設けることが可能になる。ちなみに、従来の装置ケースは、天部板から把手が出っ張ていてそれが障害になるため、ケース部材の開口部に補強桟を設ける余地がない。
【０１０３】
なお、実施形態の把手３１１は、立てた使用状態と伏した不使用状態とに揺動して変化させる構造としたが、把手３１１を使用状態と不使用状態とに変化させ得る構造は、実施形態に限定されない。例えば図２１に示したように、天部板３０５に２つのベルト通し３１４，３１４を切り起こし、該ベルト通し３１４，３１４に例えば合成樹脂や革製であって両端に抜け止め部３１５，３１５を設けてなる帯状の把手３１１を挿通し、図２１の伏した不使用状態から中央を引き上げて指掛可能な使用状態に変化させる構造にするなど、指掛可能な使用状態と、天板部３０５に伏した不使用状態とに変化可能であれば、どのような構造であってもよい。また、実施形態の装置ケース３０２の底部板３０４には図４，図１１に示したようにフランジ状の下把手３１６が突設されており、該下把手３１６をつかんで装置ケース３０２を押し込み又は引っ張ることにより、ケース部材４００への出し入れが行い易くなっている。
【０１０４】
［ケース部材］
ケース部材４００は、前記外本体１００の仕切板１０５から上のスペースにほぼ合致する大きさであって、底板４０３と、該底板４０３の左右両横に立設した側板４０４，４０４と、底板４０３の後縁に立設した後面板４０５と、該後面板４０５と前記側板４０４，４０４の上面を覆う天板４０６とからなり、前面に開口部４０１を有する箱形である。
【０１０５】
該ケース部材４００は、底板４０３が金属製で、側板４０４，４０４、後面板４０５、天板４０６が合成樹脂製であり、側板４０４，４０４と天板４０６の開口部４０１内面に金属製の補強部材４０７，４０７，４０７が設けられ、さらに側板４０４，４０４の補強部材４０７，４０７の間に開口部４０１を横切る金属製の補強桟４０２が掛け渡されている。そして、この補強桟４０２を境にそれより下が前記図柄変動表示装置３００の設置領域として、また、補強桟４０２より上の開口部４０１が前記画像表示体５００の設置領域として、さらにまた、画像表示体５００より後方のケース部材４００で囲われた領域が配線作業空間４０８として割り当てられ、その配線作業空間４０８の後面板４０５の内壁面に、主たる制御基板であるメイン基板４０９が装着され、さらにメイン基板４０９以外の制御基板等（例えばサブ基板）も配線作業空間４０８内に装着されている。
【０１０６】
ケース部材４００の後面板４０５の外面には図２，図５，図６，図１２に示したように複数のボス４１０，４１０が突設されており、該ボス４１０を外本体１００の背板１０４にプレ加工したボス孔１１４，１１４に嵌めて位置決めされる。なお、このボス４１０，４１０は、図２，図５に示したように後述する配線窓４１１近くに設けられており、一方、外本体１００側のボス孔１１４，１１４は前記配線中継部材１１３近くに設けられており、これによりケース部材４００の配線窓４１１と背板１０４の配線中継部材１１３の位置決めが正確になる。
【０１０７】
一方、ケース部材４００の底板４０３の底面には、図２に示したように凹段部４１２が形成されており、該凹段部４１２が前記仕切板１０５の突段部１０６に嵌まり合う。凹段部４１２の後面板４０５側の端部には後方に向かって拡大する向きのテーパ部４１３が設けてあり、該テーパ部４１３に案内され仕切板１０５の突段部１０６とケース部材４００の凹段部４１２との嵌め合わせが円滑に行える。このようにケース部材４００の凹段部４１２と仕切板１０５の突段部１０６の嵌め合いによってケース部材４００が仕切板１０５の奥に真っ直ぐに案内されるが、例えば図１９に示したように仕切板１０５に凹溝形態のレール部材１１５を敷設又は一体にプレス成形し、一方、ケース部材４００の底板４０３に車輪４１４を設置し、該車輪４１４をレール部材１１５の溝内で転がらせるようにしてもよい。或は、図２０に示したように仕切板１０５に凸形態のレール部材１１６を敷設又は一体にプレス成形し、一方、ケース部材４００の前記車輪４１４の両端に鍔４１５，４１５を形成し、該車輪４１４の鍔４１５，４１５でレール部材１１６を挟ませるようにしてもよい。
【０１０８】
また、ケース部材４００は、仕切板１０５上の所定の位置にセットした状態で、図１，図２，図１７，図２２に示した揺動レバー形態のストッパー１１７，１１７，１１７で止められている。このストッパー１１７は、図１，図２に示したように仕切板１０５の前端部と、天板１０３に垂設した２つの取付具１１８，１１８とに軸着されており、図１７実線のようにケース部材４００の一部に係合する作動姿勢と、図１７想像線のようにケース部材４００に係合しない非作動姿勢とを手動で切り替えてケース部材４００の仕切板１０５上における前方向の動きを規制する。なお、ストッパー１１７を図１８に示したように鍵形にしてケース部材４００に設けた引掛部４１６に係合させるようにすれば、ケース部材４００の仕切板１０５上における上方向の動きも規制することができる。また、天板１０３の取付具１１８に軸着したストッパー１１７は、図２２に示したようにケース部材４００の側板４０４と天板４０６のコーナー部に貫設した係止孔４４２に臨む位置にあり、ケース部材４００を所定の位置に押し込んだ状態でケース部材４００の内側から作動姿勢と非作動姿勢の切り替えが行えるようになっている。
【０１０９】
また、ケース部材４００の後面板４０５には外本体１００の背板１０４側に貫通する長孔形態の配線窓４１１が開設されている。該配線窓４１１は、図４，図５，図２３に示したようにケース部材４００に設置した図柄変動表示装置３００の装置ケース３０２の上斜板３０９に対応し且つ前記メイン基板４０９の下側の位置にあり、上斜板３０９の上にある横長の空きスペース４１７（或は上斜板３０９とメイン基板４０９の間に形成される横長の三角スペース４１７と観念してもよい。）と背板１０４を結ぶ開口として機能する。
【０１１０】
また、ケース部材４００には図５，図１２に示したように空きスペース４１７の高さのほぼ中間位置に棚板状の仮止め部材４１８（以下「仮止め棚」ともいう。）が設けられており、また、後面板４０５の外側であって配線窓４１１の両横にケース部材４００の左右側面に抜ける配線通路たる凹み４１９，４１９が形成されている。
【０１１１】
なお、前記配線窓４１１の配置を、図柄変動表示装置３００のリール３０１ａ，３０１ｂ，３０１ｃを基準に特定するならば、配線窓４１１は、図２３に示したように図柄変動表示装置３００のリール３０１ａ，３０１ｂ，３０１ｃの回転中心を通る水平面ＨＬと、リール３０１ａ，３０１ｂ，３０１ｃの最高高さ位置を通る水平面ＨＨとの間の範囲を下限とする状態、つまりその範囲内に下辺を置く高さに配置したものである、と言い換えることもできる。
【０１１２】
［画像表示体］
画像表示体５００は、例えば、少なくとも液晶ディスプレイ（他にもプラズマディスプレイや有機ＥＬディスプレイ等でもよい。）で構成される画像表示可能なパネル形のユニットであり、図１１においてケース部材４００の左側の側板４０４に設けた補強部材４０７にヒンジ金具４２０を取り付けて（取付位置は図１１斜線部参照）、該ヒンジ金具４２０により回動自在に支持されている。
【０１１３】
図１１，図１２に示したように、ケース部材４００の縦の補強部材４０７のうち前記ヒンジ金具４２０を設けた補強部材４０７の反対側の補強部材４０７（図１１において向かって右側）にはロック片４２１が軸着されており、該ロック片４２１を図１１の状態から時計回りに回動させるとその先端が画像表示体５００の裏側に突設した受部５０８に係合し、この状態で画像表示体５００がケース部材４００の開口部４０１の上部を閉じた位置にロックされる。一方、前記ロック片４２１をロック状態から逆向きに回動させると画像表示体５００のロックが解除され、ヒンジ金具４２０を中心に回動自在になる。通常、ケース部材４００を外本体１００に装着する前の状態では画像表示体５００を閉じ位置にロックして無用な回動を防止し、一方、ケース部材４００を外本体１００に装着した状態では画像表示体５００のロックを解除して回動自在とする。そうすることにより扉形前面部材２００を開いて直ぐに画像表示体５００の奥の配線作業空間４０８内のチェックが行える。
【０１１４】
なお、画像表示体５００の奥の配線作業空間４０８内のチェックを効率よく行う手段として、扉形前面部材２００と画像表示体５００を適宜な連結具で連結し、扉形前面部材２００の開閉に連動して画像表示体５００も一緒に開閉させるようにしてもよい。この場合、実施形態の扉形前面部材２００と画像表示体５００は、回転中心の位置が異なるため、両者の動きに相対的なずれが生じるが、そのような動きのずれは、連結具を柔軟なワイヤーにするか或は伸縮自在なロッドにする等して吸収できる。但し、連結具が柔軟なワイヤー等であると、扉形前面部材２００を閉じる段階で扉形前面部材２００が開いたまま停止している画像表示体５００にぶつかることになって、円滑さを損なうおそれがある。これに対し、例えば画像表示体５００に巻バネなどの付勢手段を設けて常時閉じ方向に付勢するようにすればよい。そうすることにより扉形前面部材２００の閉じ動作に際し、画像表示体５００が前記付勢力の作用で連結具を引っ張りつつ自力で閉じるから、扉形前面部材２００と画像表示体５００がぶつからない。もちろん扉形前面部材２００と画像表示体５００の連れ回りのための手段は上記に限定されない。
【０１１５】
また、ケース部材４００に対する画像表示体５００の取着手段をヒンジ構造にして該画像表示体５００を扉状に回動させ得る構成に、上記のように画像表示体５００を閉じ位置にロックするロック手段（上記のロック片４２１）を付加した場合には、ケース部材４００を外本体１００に装着した状態で原則ロックを継続させ、配線作業空間４０８内のチェック等、必要な時にのみロックを解除する、という取り扱いを選択することも可能であり、その場合には画像表示体５００によって配線作業空間４０８内の重要部品（例えばメイン基板４０９）がブロックできるから、防犯性能の向上に効果がある。
【０１１６】
ケース部材４００の開口部４０１上縁と閉じた画像表示体５００の上縁との前後間には隙間１０が設けられており、該隙間１０に通した指で天板４０６の前記補強部材４０７が掴めるようになっている。また、ケース部材４００の天板４０６の前方中央部分には把手口４２２が形成されており、該把手口４２２に通した指で天板４０６の補強部材４０７が掴めるようになっている。従ってケース部材４００は、取り扱う場所や姿勢に応じて該把手口４２２と前記隙間１０との適宜な使い分けが可能である。例えば、ケース部材４００を外本体１００に組み込む前の搬送時には把手口４２２を使って鞄形態に持ち運ぶ方がバランスがよく、一方、ケース部材４００を外本体１００に装着した状態では、図４に示したように把手口４２２が外本体１００の奥に隠れて指が入らないため、前記隙間１０から補強部材４０７に指を掛けてケース部材４００を引っ張り出す、という具合である。なお、ケース部材４００の底板４０３の正面中央には前記した装置ケース３０２の下把手３１６（図４，図１１参照）が突出しており、該下把手３１６を持って押し込み又は引っ張ることで外本体１００へのケース部材４００の出し入れが容易に行える。この場合の下把手３１６は、装置ケース３０２がケース部材４００にビスで固着されていることよりケース部材４００と一体であり、従ってケース部材４００の床板４０３の正面に下把手３１６が突設されているに等しい。
【０１１７】
［画像表示体−枠部材］
画像表示体５００は、ケース部材４００の開口部４０１の前記補強桟４０２から上の領域のほぼ全部を覆う大きさである。また、画像表示体５００の下側には、ケース部材４００の開口部４０１の前記補強桟４０２から下の領域、つまり図柄変動表示装置３００の前方領域を額縁状に囲う枠部材５０１が一体に垂設されており、該枠部材５０１により前記図柄変動表示装置３００のリール３０１ａ，３０１ｂ，３０１ｃが縁取られる。この枠部材５０１の表面は装飾面になっており、適宜な模様等が描かれている。
【０１１８】
［画像表示体−枠部材−照明装置］
前記枠部材５０１の裏側上下には照明装置５０２が設けられており、該照明装置５０２によって図柄変動表示装置３００の図柄が明るく照らされる。実施形態として例示した照明装置５０２は、図４に示したように、図の紙面と直交する方向（スロットマシン１の幅方向）に細長い帯状の基板５０３に多数のＬＥＤ５０４を並べたものであり、下側の照明装置５０２は、上面を例えば乳白色の透光性蓋板５０５で塞いだチューブ枠５０６の中にＬＥＤ５０４を上向きにして配置し、一方、上側の照明装置５０２は、断面上向きコ字状の透光性カバー５０７内にＬＥＤ５０４を下向きにして配置してなる。
【０１１９】
なお、上側の照明装置５０２は、照明方向を図４に示したように真下より遊技者側に傾けて設置してある。実験によれば、照明装置５０２の照明方向をリール３０１ａ，３０１ｂ，３０１ｃの周面側に向けた場合には、リール３０１ａ，３０１ｂ，３０１ｃの特定部分が強く照らされて見辛くなるのに対し、前記のように傾けた場合には、リール３０１ａ，３０１ｂ，３０１ｃの広い範囲がほぼ均等に照らされて見え易くなることが確認できた。扉形前面部材２００の透視窓２１４に嵌めた透明板により照明装置５０２の光が反射されて全体に拡散するか、或は透明板が明るく照らされることでリール３０１ａ，３０１ｂ，３０１ｃの広い範囲が明るく見えるか、或はそれらの相乗作用によるものと推測される。また、枠部材５０１は画像表示体５００の下に垂設されていて図柄変動表示装置３００に近いから、そのような枠部材５０１に照明装置５０２を組み込むことで光源を図柄変動表示装置３００に近づけることができる。従って枠部材５０１に照明装置５０２を組み込む手段は、従来の照明装置に比べて低光量でも十分な明るさが確保できる、という特徴がある。
【０１２０】
［配線手段］
前記外本体１００に取り付けられている例えばメダル放出装置１１０や電源装置１１２及び扉形前面部材２００の操作部２０２にある例えば各投入ボタン２０５，２０６や始動レバー２１０（以下、これらの総称として単に「本体側電気部品」という場合もある。）と、ケース部材４００にある例えばメイン基板４０９等（ケース部材側の電気部品の総称として単に「ケース部材側電気部品」という場合もある。）とは、電気的に接続されている。そして、実施形態のスロットマシン１は、遊技ユニット（ケース部材４００）が外本体１００に対し着脱自在であるため、遊技ユニット（ケース部材４００）の交換等に際して本体側電気部品とケース部材側電気部品とを簡単に接続又は切り離すための合理的な配線手段が設けられている。
【０１２１】
［配線手段−配線中継部材］
前記のように外本体１００の背板１０４の内面上部には、図１４に示した配線中継部材１１３が取り付けられている。該配線中継部材１１３は図４，図５に示したように、前記ケース部材４００の配線窓４１１に対応する位置にあって該配線窓４１１からケース部材４００の空きスペース４１７に臨むようになっている。配線中継部材１１３は、前記本体側電気部品につながる本体側配線類１１９と、前記ケース部材側電気部品につながるケース側配線類４２３とを中継するものであって、外本体１００の背板１０４にビス止めされる取付板１２０と、該取付板１２０の前面に被さるカバー体１２１と、該カバー体１２１と前記取付板１２０の間に納められる複数（実施形態では大小２枚）のコネクタ基板１２２，１２３とからなる。
【０１２２】
前記２枚のコネクタ基板１２２，１２３のうち、図１４，図１５において左側に位置する大きい方のコネクタ基板１２２は取付板１２０に対して固定的に取り付けられており、前記メイン基板４０９につながっているハーネス４２４の先端のコネクタ４２５と対をなすコネクタ１２４が設けられている。
【０１２３】
一方、図１４，図１５において右側に位置する小さい方のコネクタ基板１２３は、取付板１２０に対して非固定的な遊動可能状態に取り付けられており、従って図１５拡大図に示したように上下方向に移動可能であり、また、左右方向にも移動し得る。この小さいコネクタ基板１２３には、メイン基板４０９以外のケース部材側電気部品につながっているハーネス４２６の先端のコネクタ４２７と対をなすコネクタ１２５が設けられている。
【０１２４】
また、取付板１２０の前面に被さるカバー体１２１は、前記コネクタ１２４，１２５が通る大小２つの開口１２６，１２７と、該開口１２６，１２７と横並びの位置に突設した支持筒１２８と、下半部前方に張り出すトンネル状の配線ダクト１２９と、を有する。
【０１２５】
配線中継部材１１３に接続する本体側配線類１１９は、前記配線ダクト１２９の内部を通るか、または配線中継部材１１３の取付板１２０の下側前面に突設したフック形状の配線止め１３０に束ねられた状態で、図１一点鎖線Ｌに示したように外本体１００の側板１０２，１０２側に振り分けられ、該側板１０２，１０２と背板１０４のコーナー付近でほぼ垂直に向きを変え、その多くは仕切板１０５の奥に設けた配線用の開口１０９を通って本体側電気部品に夫々接続される。もちろん仕切板１０５より上の領域に本体側電気部品（例えば図１において側板１０２の内面に設けた外部中継端子板１３１）がある場合には、仕切板１０５の配線用の開口１０９とは無関係にそのまま接続される。
【０１２６】
ここまでで説明した配線手段から、次のような技術的思想が把握できる。
（ａ）ケース部材４００の後面板４０５に、図柄変動表示装置３００のリール３０１ａ，３０１ｂ，３０１ｃの回転中心を通る水平面とリール３０１ａ，３０１ｂ，３０１ｃの最高高さ位置を通る水平面との間に自己の下辺が位置する高さにして配線窓４１１を形成する。
（ｂ）外本体１００の背板１０４に、本体側電気部品につながる本体側配線類１１９と、ケース部材側電気部品につながるケース側配線類４２３とを中継する配線中継部材１１３を設置する。
（ｃ）外本体１００の側板１０２，１０２の内面沿いに配線を通す上下方向の配線経路を形成する。
（ｄ）配線中継部材１１３につながる本体側配線類１１９をケース部材４００の側方に導き、そこから前記配線経路を通って本体側電気部品に接続する。
【０１２７】
以上（ａ）〜（ｄ）の構成要素を備えた遊技機は、図柄変動表示装置３００のリール３０１ａ，３０１ｂ，３０１ｃの後ろを本体側配線類１１９が通らず、外本体１００の側板１０２，１０２沿い（背板１０４とのコーナーを含む（図１０参照）。）に設けた配線経路を迂回するため、リール３０１ａ，３０１ｂ，３０１ｃを外本体１００の背板１０４近くにまで寄せることが可能になり、従来の構成、すなわち、本体側配線類１１９が背板１０４のほぼ中央を下ってリール３０１ａ，３０１ｂ，３０１ｃの後ろを通っていた従来の構成に比べて、リール３０１ａ，３０１ｂ，３０１ｃの径を大きくすることができる。なお、リール３０１ａ，３０１ｂ，３０１ｃの径は大きい方が、回転時の迫力が増す。
【０１２８】
［配線手段−コネクタ４２５，４２７］
上記のように配線中継部材１１３に設けられている２つのコネクタ１２４，１２５には、ケース部材４００のメイン基板４０９につながっているハーネス４２４の先のコネクタ４２５と、メイン基板４０９以外のケース部材側電気部品につながっているハーネス４２６の先のコネクタ４２７がそれぞれ接続されている。この２つのコネクタ４２５，４２７は、図１６に示したように１つのコネクタホルダー４２８に一体に取り付けられている。該コネクタホルダー４２８は、コネクタ４２５，４２７がビス止めされるホルダー主体４２９と、ほぼ中央に透孔４３０を有し前記ホルダー主体４２９の両横に突設した板状の取着片４３１と、該取着片４３１の透孔４３０に装着した周知のボタン形パネルファスナー４３２（商品名「ナイラッチ」：登録商標）と、からなり、図５，図８（ａ）に示したように配線中継部材１１３の前記支持筒１２８の先に取着片４３１を当て、該取着片４３１のボタン形パネルファスナー４３２を支持筒１２８に差し込んでロックしてある。従ってコネクタホルダー４２８が固定手段たる支持筒１２８に固定され、ひいては配線中継部材１１３に固定されるため、コネクタ４２５，４２７とコネクタ１２４，１２５の結合が外れない。
【０１２９】
［配線中継基板−コネクタ４２５，４２７−仮止め棚］
上記のようにコネクタ４２５，４２７は配線中継部材１１３のコネクタ１２４，１２５に接続されているが、ケース部材４００が外本体１００に組み込まれる前、つまり工場出荷から設置完了までの間、コネクタ４２５，４２７は、ケース部材４００に設けた仮止め棚４１８に仮止めされている。
【０１３０】
前記仮止め棚４１８は、図５，図６，図１２，図１３に示したようにケース部材４００の内側から前記配線窓４１１に向かわせた棚板状の部材であり、図６に示したようにコネクタホルダー４２８を載置するほぼ水平なベンチ部４３３と、そのベンチ部４３３の両端に立設したベンチ側板４３４と、各ベンチ側板４３４に突設した３本の内向き爪片４３５，４３５，４３５とを有する。この内向き爪片４３５，４３５，４３５の中央の１本と他の上下の２本との間にはコネクタホルダー４２８の取着片４３１が嵌まり得る間隔が設けてある。なお、一方のベンチ側板４３４は、先端に指掛部４３６を延設した薄板構造であって、指掛部４３６に指を掛け図８（ｂ）矢示Ｘ方向に力を加えることにより一端支持の板バネのごとく外向きに反らせ得るようになっており、その反らせた状態で内向き爪片４３５，４３５，４３５からコネクタホルダー４２８の取着片４３１が簡単に外れるようになっている。図８（ａ）の想像線は指掛部４３６の先を鍵形に折り曲げた例を示したものであり、こうすることにより矢示Ｙのようにボタンを押す感覚でコネクタホルダー４２８の取外しが楽に行える。
【０１３１】
しかして、図６に示したように前記仮止め棚４１８のベンチ部４３３にコネクタホルダー４２８を載置し、該コネクタホルダー４２８の取着片４３１をベンチ側板４３４の内向き爪片４３５，４３５，４３５の間に嵌めることによってコネクタホルダー４２８が仮止め棚４１８に仮止めされる。もちろん仮止めと言っても、ケース部材４００の輸送中にコネクタホルダー４２８が仮止め棚４１８から外れない強度を有する設定になっており、従ってケース部材４００が外本体１００に組み込まれる前までは、コネクタホルダー４２８と一体のコネクタ４２５，４２７はケース部材４００に設けた仮止め棚４１８に仮止めされて動かない。よってケース部材４００を輸送したり、ケース部材４００を外本体１００に組み込む作業の最中に、ハーネス４２４，４２５の先にあるコネクタ４２５，４２７が、ケース部材４００内の部品に当たってその部品はもちろん、自らも損傷する、というようなおそれがない。
【０１３２】
そして、図８（ｂ）→図８（ａ）に示したように、ケース部材４００を外本体１００に固定した後の配線工程で、上記のように一方のベンチ側板４３４を外向きに反らせてコネクタホルダー４２８を仮止め棚４１８から外し、そのコネクタホルダー４２８を自己の取着片４３１が配線中継部材１１３の支持筒１２８に当たる位置まで移動させれば、コネクタ４２５，４２７が配線中継部材１１３のコネクタ１２４，１２５に嵌まるから（その詳細は後述する。）、その状態で取着片４３１のボタン形パネルファスナー４３２を押し込んで取着片４３１を支持筒１２８にロックする。なお、このとき図５，図６に二点鎖線で示したように、ベンチ部４３３にガイド用の案内レール４４０を設けておけば、コネクタホルダー４２８を奥に押し込むだけでよいため、作業性が向上する。以上のようにして配線中継部材１１３に取り付けたコネクタホルダー４２８は、外本体１００の背板１０４を支持基盤として安定し、ケース部材と接触しないため、輸送時の振動等で損傷することがない。
【０１３３】
ここまでの説明から、次のような技術的思想が把握できる。
（ａ）前面が開口し背面を背板で覆った箱形であって電源装置その他の本体側電気部品を備えた外本体と、
（ｂ）前記外本体に対し着脱自在なケース部材に複数の図柄を変動させる図柄変動表示装置その他のケース部材側電気部品を設けた遊技ユニットと、
（ｃ）前記本体側電気部品につながる本体側配線類と、前記ケース部材側電気部品につながるケース側配線類とを中継すべく前記外本体の背板に取り付けた配線中継部材と、
（ｄ）前記ケース側配線類の先端に取り付けたコネクタと、
（ｅ）該コネクタに取り付けたコネクタホルダーと、
（ｆ）該コネクタホルダーを仮止めするためケース部材に設けた仮止め部材と、
（ｇ）前記コネクタホルダーを前記配線中継部材に固定するための固定手段と、を有し、
（ｈ）遊技ユニットを外本体に装着する前の状態で前記コネクタホルダーを仮止め部材に仮止めし、遊技ユニットを外本体に装着した状態で前記コネクタホルダーを仮止め部材から固定手段に付け替えてコネクタホルダーのコネクタを配線中継部材に接続するようにしたことを特徴とする
（ｉ）遊技機。
【０１３４】
［コネクタ４２５，４２７とコネクタ１２４，１２５の結合］
前記のようにコネクタ４２５とコネクタ４２７は、１つのコネクタホルダー４２８に取り付けられている。こうすることによりコネクタホルダー４２８を配線中継部材１１３の所定の位置にセットする１回の動作で２つのコネクタ４２５，４２７の接続が完了する。しかし現実の問題として、２つのコネクタ４２５，４２７とコネクタホルダー４２８という独立した要素を寄せ集めて一体にする構造では、コネクタ４２５，４２７とコネクタ１２４，１２５の「正確な位置決め」という困難な問題に直面する。すなわち２つのコネクタ４２５，４２７と配線中継部材１１３側のコネクタ１２４，１２５の４要素の位置決めが全て正確でなければ、コネクタ４２５，１２４とコネクタ４２７，１２５の一括結合は不可能であるのに、そのような位置決めの精度を量産品レベルのコストで達成するのは困難だからである。そのような問題を解決する１つの手段として、結合時の融通性に優れたドロワーコネクタを使用する方法が考えられるが、それでもまだコスト面の負担が大きい。
【０１３５】
これに対し実施形態の配線手段では、配線中継部材１１３のコネクタ基板１２２，１２３を分割してそれぞれにコネクタ１２４，１２５を装着し、そのコネクタ基板１２２，１２３の少なくとも一方を非固定的な遊動可能状態にする手段を講じている。かかる構成においてコネクタホルダー４２８の結合照準をコネクタ４２５とコネクタ１２４に定めた場合、もう一方のコネクタ４２７とコネクタ１２５の相対位置に若干の狂いがあっても、コネクタ基板１２３が遊動してその狂いを矯正すべく移動するから、コネクタ４２７とコネクタ１２５の結合も可能になる。これにより安価なＤＩＮ規格のコネクタで十分に対応できる。
【０１３６】
なお、実施形態のように、小さいコネクタ１２５に対応する小さいコネクタ基板１２３を遊動可能とし、大きいコネクタ４２５，コネクタ１２４同士を結合の基準に定める構成は、その逆の構成に比べてコネクタ４２５，１２４，４２７，１２５の結合が楽に行える。小さいコネクタ基板１２３の方が軽い力で扱えるため、狂いの自動矯正が容易だからである。また、実施形態では、図９のようにコネクタ４２５，１２４の方がもう一方のコネクタ４２７，１２５より先に結合するようになっており、そうすることにより結合照準のコネクタ同士が合わせやすい。
【０１３７】
また、図９に拡大して示したように凸形のコネクタ４２５，４２７の凸部先端の周縁角部及び／又は凹形のコネクタ１２４，１２５の差込口の周縁角部に面取り部Ｃ（直線的な面取り、曲線的な面取りのいずれも可）を形成しておけば、面取り部Ｃのテーパに沿った誘導作用が、コネクタ同士の結合性をより良好にする。
【０１３８】
また、実施形態のように、配線中継部材１１３のコネクタ基板１２２，１２３を遊動可能にする構成の他、コネクタホルダー４２８側のコネクタ４２５，４２７の何れか一方を遊動可能にすることも可能であり、その場合も上記と同様の作用効果が得られる。
【０１３９】
また、実施形態では図４，図１２に示したように、ケース部材４００の後面板４０５の裏側であって、前記図柄変動表示装置３００の装置ケース３０２の下斜板３１０に向けて凹ませたケーブル溝４３７が形成され、該ケーブル溝４３７の両端近傍にケース部材４００の側板４０４（又は後面板４０５）を貫く配線口４３８，４３８が開設されている。この配線口４３８，４３８とケーブル溝４３７は、図柄変動表示装置３００とメイン基板４０９等とを接続するためのものであり、図１１において図柄変動表示装置３００の装置ケース３０２の向かって右側面（扉形前面部材２００の非ヒンジ側の側面）に設けたリール基板３１２のケーブル３１３（図１２参照）を１つの配線口４３８からケース部材４００の外に引き出し、そのケーブル３１３を図１２のようにケーブル溝４３７に納め、さらにそのケーブル３１３の先を他の配線口４３８からケース部材４００の中に戻してメイン基板４０９等につなぐようにしてある。なお、ケーブル溝４３７には所定の間隔でケーブル止め４３９が設けられていて、ケーブル溝４３７からケーブル３１３が脱落しないようになっている。
【０１４０】
しかしてメイン基板４０９等とリール基板３１２は、共にケース部材４００の中にあるケース部材側電気部品であり、本来、ケース部材４００の外にケーブル３１３を引き出す必要はない。それを敢えてケース部材４００に配線口４３８，４３８とケーブル溝４３７を設けてケーブル３１３を外伝いに迂回させるようにした理由は次のとおりである。
【０１４１】
リール基板３１２の設置場所は、限られたスペースの中でコネクタを抜き差しする配線の作業性を考慮すると、図柄変動表示装置３００（装置ケース３０２）の側面のうち扉形前面部材２００の非ヒンジ側に相当する側が好ましい。もし逆に、扉形前面部材２００のヒンジ側に相当する装置ケース３０２の側面にリール基板３１２を設けると、開ききった扉形前面部材２００（図１参照。）とリール基板３１２が近接位置で向かい合うため、コネクタの抜き差しに必要な広い作業空間が確保できないからである。しかし一方、リール基板３１２の接続対象たる基板類（メイン基板４０９，画像表示体５００等）の接続部がケース部材４００の扉形前面部材２００のヒンジ側に相当する側にあると、ケーブル３１３がケース部材４００の内部を横切る格好になる。そうすると前記装置ケース３０２をケース部材４００に装着する際にケーブル３１３を噛み込んだり、逆に装置ケース３０２を引き出す際にケーブル３１３を引っ掛けるおそれがある。
【０１４２】
これに対し実施形態のように、ケース部材４００に配線口４３８，４３８とケーブル溝４３７を設けてケーブル３１３を外伝いに迂回させるようにすれば、上記したようなケーブル３１３のトラブルは生じない。また、配線作業は、装置ケース３０２を所定の位置から若干引き出した状態で行う方が作業性がよく、それに伴って配線口４３８からリール基板３１２までのケーブル３１３の長さは、配線代とでも言うべき余裕が設けられている。従って装置ケース３０２を所定の位置にセットした状態でケーブル３１３に弛みが生じ、引き出し量によってはケーブル３１３の弛みが大きくなる。そのようなケーブル３１３の弛みが大きい場合には、配線口４３８と横並びの位置にある、装置ケース３０２の下斜板３１０とケース部材４００の奥のコーナー部分との間に出来る三角スペースにケーブル３１３の弛んだ部分を逃がすことができる。
【０１４３】
また、実施形態のようにケーブル溝４３７を装置ケース３０２の下斜板３１０に向かわせて膨らませるようにした場合には、ケース部材４００の奥と装置ケース３０２の下斜板３１０との間にできるデッドスペースの有効活用に役立つ。なお、配線口４３８，４３８とケーブル溝４３７を使った配線は、リール基板３１２のケーブル３１３に限定する必要はなく、ケース部材４００の内部を横切るケーブル全てに適用できる。
【０１４４】
その他、図１１中、符号４４１は機能分離中継端子板である。
【０１４５】
［ＭＡＸ投入ボタンの構造及びＭＡＸ投入ボタンの取付構造］
次に、ＭＡＸ投入ボタンの構造及び取付構造について図２４〜図２６を参照しつつ説明する。図２４は、ＭＡＸ投入ボタンをスロットマシンに取付けた状態で切断して示す断面図である。図２５（Ａ）はＭＡＸ投入ボタンを左右方向に切断して示す断面図であり、（Ｂ）はＭＡＸ投入ボタンを前後方向に切断して示す断面図である。図２６は、ＭＡＸ投入ボタンを分解して示す分解斜視図である。
【０１４６】
図２４に示すように、遊技機用操作スイッチとしてのＭＡＸ投入ボタン２０６は、スロットマシン１における扉形前面部材２００に配置された断面略逆Ｌ字状のスイッチ支持部材６００に取付固定されている。なお、このスイッチ支持部材６００には、ＭＡＸ投入ボタン２０６の他に、始動レバー２１０、リール停止ボタン２１１ａ，２１１ｂ，２１１ｃ等の各種操作スイッチが取付固定されており、操作部２０２を構成している。
【０１４７】
このＭＡＸ投入ボタン２０６は、遊技者の操作性を向上させるために、三つのリール３０１ａ，３０１ｂ，３０１ｃを回転始動させて遊技を開始させる始動レバー２１０の近く（半径１５ｃｍ以内）に配置されている（図３及び図２４参照）。この始動レバー２１０は、スロットマシン１内に配置された始動レバー本体２１０ａから延びだしている。なお、図示は省略するが、始動レバー本体２１０ａのスロットマシン１内の端部には接続コネクタが備えられており、このコネクタを介して始動レバー本体２１０ａがメイン基板４０９（主制御基板）に接続されている。
【０１４８】
スイッチ支持部材６００の上面には、ＭＡＸ投入ボタン２０６を取付固定するための取付孔６０１が穿設されており、この取付孔６０１にＭＡＸ投入ボタン２０６を取付固定することで、ＭＡＸ投入ボタン２０６の操作ボタンが上方を向くようになっている。
【０１４９】
このＭＡＸ投入ボタン２０６は、図２５及び図２６に示すように、取付孔６０１に取付けられる筒状のスイッチ本体６１０と、スイッチ本体６１０内に上下方向に移動可能に保持されるボタン状の可動部材６３０と、可動部材６３０を上方へ付勢する付勢手段としてのコイルバネ６４９と、可動部材６３０の可動を検知する可動検知手段６５０とを主に備えている。
【０１５０】
また、ＭＡＸ投入ボタン２０６は、可動検知手段を保持する電装基板６６０と、電装基板６６０をスイッチ本体６１０内の所定位置に保持すると共にスイッチ本体６１０の軸方向先端部（図２５中、下端部）に係止される先端キャップ６７０とを更に備えている。
【０１５１】
スイッチ本体６１０は、略円筒状の本体部６１１と、本体部６１１の軸方向基端（図２５中、上端）の外周から軸直角方向外方へ突出する鍔状のフランジ部６１２と、軸方向基端と先端（図２５中、下端）との間に配置され本体部６１１内を軸方向基端側と先端側とに仕切る仕切り部６１３と、仕切り部６１３とフランジ部６１２との間の本体部６１１の外周から軸直角方向へ突出する固定片６１４と、固定片６１４と一体とされ軸方向先端に向かうに従って軸直角方向内方へ傾斜するガイド部６１５と、仕切り部６１３を貫通するように形成された係合爪通過孔６１６と、仕切り部６１３よりも先端側（図中下側）の本体部６１１内周面に軸直角方向に延びる段状の被係合部６１７とを主に備えている。
【０１５２】
スイッチ本体６１０の固定片６１４は、本体部６１１の外周壁に対して、固定片６１４と続くガイド部６１５の軸方向先端側を残すように固定部６１４及びガイド部６１５の周りを略コ字状に貫通するスリットが形成されており、このスリットにより固定片６１４がガイド部６１５と共に軸直角方向に移動できるようになっている。具体的には、本体部６１１と繋がる固定片６１４の軸方向先端側の辺を略中心として、固定辺６１４が回転することで結果的に固定片６１４が軸直角方向に移動するようになっている。また、本体部６１１と繋がる部分では、固定片６１４がヒンジ回転するのではなく、繋がった部分が弾性変形（塑性変形）することで回転するため、本体部６１１と繋がった部分の弾性力により固定片６１４が本体部６１１から外方へ突出した状態に復帰できるようになっている。
【０１５３】
この固定片６１４は、図示するように、本体部６１１の外周に二つ備えられており、互いに対向する位置に配置されている。また、固定片６１４は、その軸方向基端面（図中、上面）が略平坦面とされており、軸方向基端面とフランジ部６１２の裏面との間の距離が、スイッチ支持部材６００における取付孔６０１が穿設された部位の厚さと対応する距離とされている。
【０１５４】
スイッチ本体６１０における仕切り部６１３の係合爪通過孔６１６は、本体部６１１の周方向に対して固定片６１４が配置されて位置よりも約９０゜回転した位置に配置されており、互いに対向するように本体部６１１の軸芯を挟んで二つ備えられている（図２６参照）。また、この係合爪通過孔６１６は、本体部６１１の内壁に沿うように配置されている。
【０１５５】
仕切り部６１３には、係合爪通過孔６１６の他に、固定片６１４と対応する位置に、軸方向に貫通する逃し孔６１９が形成されており、この逃し孔６１９によって固定片６１４が弾性変形し易いようになっている。また、仕切り部６１３には、詳細は後述するが、可動部材６３０に形成された検知片６３１が通過可能な貫通孔６２０と、電装基板６６０に備えられた発光手段としてのＬＥＤ６６１が通過可能な貫通孔６２１とが更に形成されている。ＬＥＤ６１１が通過する貫通孔６２１は、仕切り部６１３の略中心に配置されており、検知片６３１が通過する貫通孔６２０は、貫通孔６２１と一方の係合爪通過孔６１７との間に配置されている。
【０１５６】
また、仕切り部６１３には、その軸方向基端側から基端側に所定量突出しコイルバネ６４９の先端側端部を位置決め可能な円環状の突起部６２２と、軸方向先端側から先端側に所定量突出すると共に貫通孔６２１を先端側へ延長するような形態の円筒部６２３とが更に備えられている。この円筒部６２３は、ＭＡＸ投入ボタン２０６を組立てる際に、電装基板６６０のＬＥＤ６６１を仕切り部６１３の先端側から基端側へ案内することができるようになっている。
【０１５７】
また、スイッチ本体６１０には、先端キャップ６７０を係止するための係止爪６２４と、係止爪６２４を挟むように本体部６１１の外周壁を貫通し軸方向に延びる一対のスリット６２５とを更に備えている。この係止爪６２４は、一対のスリット６２５によって軸方向先端が自由端となっており、固定片６１４と同様の原理により軸直角方向へ移動できると共に、図２５（Ｂ）の状態に復帰できるようになっている。
【０１５８】
この係止爪６２４は、本体部６１１の軸直角方向内方へ突出する形態とされていると共に、本体部６１１の周方向に対して固定片６１４が配置された位置の軸方向先端側に配置されており、固定片６１４と同様に対向して二つ備えられている（図２５参照）。また係止爪６２４の軸方向先端側には、先端に向かうに従って軸直角方向外方へ傾斜するテーパ部６２６が形成されており、本端部６１１内へ先端キャップ６７０を軸方向先端側から基端側へ向かって挿入させると、先端キャップ６７０と当接したテーパ部６２６のカム作用により係止爪６２４が軸直角方向外方へ移動して、容易に先端キャップ６７０を係止できるようになっている。
【０１５９】
可動部材６３０は、スイッチ本体６１０内に摺動可能に保持される可動部材本体６３２と、可動部材本体６３２の軸方向基端に固定される透光性を有したボタン部材６３３と、ボタン部材６３３と可動部材本体６３２との間に配置される透光性を有した平板状の拡散部材６３４とから構成されている。
【０１６０】
可動部材６３０における可動部材本体６３２は、スイッチ本体６１０と略同軸状に配置される筒状の外筒部６３５と、外筒部６３５の軸方向先端部から軸方向先端側へ所定量延びだすと共に先端が軸直角方向外方へ突出する係合爪６３６と、外筒部６３５の軸方向基端部近傍で周方向に延び軸直角方向外方へ突出する鍔部６３７と、外筒部６３５の軸方向先端と略同位置で外筒部６３５の内径よりも小径の開口６３８が形成されるように外筒部６３５の軸方向基端内周面から外筒部６３５の先端へ向かうに従って軸直角方向内方へ傾斜する漏斗状の内筒部６３９と、内筒部６３９の軸方向先端側の面から先端側へ延びる検知片６３１とを主に備えている。
【０１６１】
可動部材本体６３２の係合爪６３６は、スイッチ本体６１０の被係合部６１７と係合することで、コイルバネ６４９によって付勢された可動部材６３０がスイッチ本体６１０に対して軸方向基端側への移動を規制する、つまり、可動部材６３０がスイッチ本体６１０から抜け出さないようにするものである。また、係合爪６３６は、図示するように外筒部６３５の先端から所定量延びだした形態とされているので、外筒部６３５よりも弾性変形し易く、係合爪６３６が軸直角方向に移動できると共に、係合爪６３６を軸直角方向に移動させてもその弾性力により図２５に示す状態に復帰するようになっている。この係合爪６３６は、二つ備えられており、軸芯を挟んで対向した位置に夫々配置されている。
【０１６２】
この係合爪６３６は、軸直角方向外方へ突出する形態となっており、係合爪６３６を軸直角方向内方へ移動させることで、スイッチ本体６１０の被係合部６１７との係合が解除されるようになっている。なお、係合爪６３６の軸方向先端側には、軸直角方向外側の面が、軸方向基端側から先端側へ向かうに従って軸直角方向内方へ傾斜するテーパ部６４０が形成されている。このテーパ部６４０によって、スイッチ本体６１０と可動部材６３０とを組立てる際に、スイッチ本体６１０の内周壁にテーパ部６４０が当接することで、そのカム作用によって係合爪６３６が軸直角方向内方へ移動し、可動部材６３０を容易にスイッチ本体６１０と組付けられるようになっている。
【０１６３】
可動部材本体６３２の鍔部６３７は、図２６に示すように、係合爪６３６が配置された周方向位置と略同位置において切欠かれた形態となっており、鍔部６３７の切欠かれた位置に、外筒部６３５の外周から軸直角方向外方へ突出する突部６４１が形成されている。この突部６４１によってボタン部材６３３を可動部材本体６３２に固定できるようになっている。
【０１６４】
また、可動部材本体６３２の内筒部６３９は、その形状が漏斗状とされており、開口６３８を通って軸方向先端側から電装基板６６０のＬＥＤ６６１が内筒部６３９内に配置されることで、ＬＥＤ６６１から発光放射される光を内筒部６３９の内面で軸方向基端側へ反射させ、内筒部６３９の基端側に配置される拡散部材６３４やボタン部材６３３をより明るく照らしてＭＡＸ投入ボタン２０６を目立つように発光装飾できるようになっている。
【０１６５】
可動部材本体６３２には、内筒部６３９の軸方向先端側の面にコイルバネ６４９の基端側端部を位置決め可能な円環状の突起部６４２が更に備えられている。この突起部６４２は、可動部材６３０がスイッチ本体６１０に取付けられた状態でスイッチ本体６１０の突起部６２２と対向するように形成されており、これら突起部６２２，６４２によってコイルバネ６４９が軸直角方向に移動するのを規制するようになっている。なお、検知片６３１は、突起部６４２の内側から軸方向先端側へ延びだすように形成されている。
【０１６６】
また、可動部材本体６３２には、図２６に示すように、外筒部６３５の軸方向基端部に切欠き部６４３が形成されており、この切欠き部６４３によって可動部材本体６３２に対し拡散部材６３４を所定位置に位置決めできるようになっている。
【０１６７】
可動部材６３０における拡散部材６３４は、透光性を有する不透明な部材の表面に「ＭＡＸＢＥＴ」の文字が施されており、ＬＥＤ６６１からの光を受けて全体が発光できるようになっている。この拡散部材６３４は、外形が可動部材本体６３２の軸方向基端部内側に挿入可能な大きさとされると共に、その外周に可動部材本体６３２の切欠き部６４３へ嵌る突起６４４が形成されており、突起６４４を切欠き部６４３に嵌め込むことで、可動部材本体６３２に対して拡散部材６３４が所定位置に位置決めされるようになっている。
【０１６８】
可動部材６３０におけるボタン部材６３３は、有色透明な部材からなり、可動部材本体６３２の軸方向基端部を閉鎖する円盤状のボタン部６４５と、ボタン部６４５の外周から可動部材本体６３２における外筒部６３５の軸方向基端部を内包するように軸方向先端側へ所定量突出する筒状の外套部６４６と、外套部６４６の周方向所定位置に可動部材本体６３２の突起６４１が嵌合可能な嵌合孔６４７とを備えている。
【０１６９】
可動検知手段６５０は、図２６に示すように、発光部６５１と受光部６５２とを備えたフォトセンサとされており、発光部６５１と受光部６５２との間に可動部材６３０の検知片６３１が挿入されることで、発光部６５１からの光が遮られて検知片６３１を検知できるようになっている。この可動検知手段６５０は、板状の電装基板６６０の軸方向基端側（図中、上側）の面に取付けられている。
【０１７０】
電装基板６６０は、スイッチ本体６１０の本体部６１１内に挿入可能な大きさとされ、可動検知手段６５０の他に、軸方向基端側の面の略中央から基端側へ延びるように発光手段としてのＬＥＤ６６１と、ＬＥＤ６６１及び可動検知手段６５０への電気的な接続を行うためのコネクタ６６２とが備えられている。ＬＥＤ６６１は、図２５に示すように、ＭＡＸ投入ボタン２０６を組立てた状態で、その殆んどの部分が可動部材６３０の開口６３８を通って内筒部６３９内に配置されるようになっている。
【０１７１】
先端キャップ６７０は、スイッチ本体６１０における本体部６１１の軸方向先端側の開口を閉鎖するような板状とされ、本体部６１１の先端部に形成された係止爪６２４と係止する係止部６７１が備えられている。
【０１７２】
本例のＭＡＸ投入ボタン２０６には、上記した構成の他に、可動部材６３０（可動部材本体６３２）の係合爪６３６が軸直角方向内方へ移動するのを阻止するストッパ部材６８０を更に備えている（図２５及び図２６参照）。このストッパ部材６８０は、スイッチ本体６１０の内部で、仕切り部６１３と電装基板６６０との間に配置され、電装基板６６０を介して仕切り部６１３と先端キャップ６７０とで挟持されてスイッチ本体６１０に保持されるようになっている。
【０１７３】
ストッパ部材６８０は、図２６に示すように、その軸方向基端側の面、つまり、仕切り部６１３と当接する側の面が、略平らな平坦形状とされている。一方、仕切り部６１３と当接する側とは反対側の面は、電装基板６６０に備えられる可動検知手段６５０等が接触しないような凹凸形状とされている。
【０１７４】
このストッパ部材６８０は、その外周面が係合爪６３６の内側と当接することで、係合爪６３６が軸直角方向内方へ移動するのを阻止するようになっている。また、ストッパ部材６８０には、仕切り部６１３の軸方向先端側から先端側へ突出する円筒部６２３と、可動部材６３０の検知片６３１とが通過可能な鍵穴状の通孔６８１が形成されている。この通孔６８１は、仕切り部６１３の貫通孔６２０と対応しており、貫通孔６２０及び通孔６８１を通って軸方向基端側に配置された可動部材６３０から延びる検知片６３１が、ストッパ部材６８０の軸方向先端側に配置された可動検知手段６５０によって検知できるようになっている。
【０１７５】
次に、ＭＡＸ投入ボタン２０６の組立て方法について説明する。まず、可動部材本体６３２の軸方向基端部に拡散部材６３４を挿入する。その際に、拡散部材６３４に施された文字が軸直角方向基端側（図中、上側）から正しく読めるように向けた上で、拡散部材６３４の外周に備えられた突起６４４を可動部材本体６３２の切欠き部６４３に嵌合させて可動部材本体６３２に対して位置決めされた状態とする。そして、その状態で、軸方向基端側からボタン部材６３３を、可動部材本体６３２の軸方向基端を包含するように可動部材本体６３２に挿入すると共に、ボタン部材６３３の嵌合孔６４７に可動部材本体６３２の外周に形成された突起６４１を嵌合させ、可動部材本体６３２の軸方向基端にボタン部材６３３を固定する。これにより、可動部材６３０が組立てられる。
【０１７６】
続いて、組立てられた可動部材６３０とスイッチ本体６１０における仕切り部６１３の軸方向基端側との間にコイルバネ６４９を配置した状態で、可動部材６３０を、スイッチ本体６１０の軸方向基端側からスイッチ本体６１０内へコイルバネ６４９の付勢力に抗して挿入する。この際に、可動部材６３０の係合爪６３６がスイッチ本体６１０の方向を向くようにすると共に、可動部材６３０の一対の係合爪６３６及び検知片６３１が、スイッチ本体６１０の仕切り部６１３に形成された係合爪通過孔６１７及び貫通孔６２０を通過するように、可動部材６３０とスイッチ本体６１０との位置関係を合わせた上で、可動部材６３０をスイッチ本体６１０内へ挿入する。また、コイルバネ６４９の両端内側に、スイッチ本体６１０における仕切り部６１３の突起部６２２、及び可動部材６３０の突起部６４２が、夫々挿入されるようにコイルバネ６４９を配置する。
【０１７７】
スイッチ本体６１０内へ可動部材６３０を挿入すると、可動部材６３０における係合爪６３６先端側のテーパ部６４０が、スイッチ本体６１０の内周壁と当接し、テーパ部６４０のカム作用によって、テーパ部６４０と共に係合爪６３６が軸直角方向内方へ移動して、可動部材６３０を更にスイッチ本体６１０の奥へ挿入できるようになる。そして、可動部材６３０を更にスイッチ本体６１０の奥へ挿入すると、一対の係合爪６３６及び検知片６３１が、仕切り部６１３の係合爪通過孔６１７及び貫通孔６２０を通過して、仕切り部６１３よりも軸方向先端側へと延びだして、係合爪６３６がスイッチ本体６１０の被係合部６１７に到達すると、テーパ部６４０にかかるカム作用が無くなって係合爪６３６の弾性力により軸直角方向外方へ移動して通常の位置（図２５参照）に復帰し、可動部材６３０がスイッチ本体６１０へ組付けられる。
【０１７８】
この状態では、コイルバネ６４９の付勢力により可動部材６３０が軸方向基端側へ付勢された状態となっているが、スイッチ本体６１０の被係合部６１７と可動部材６３０の係合爪６３６とが係合することで、可動部材６３０が軸方向基端側へこれ以上移動するのを阻止され、可動部材６３０がスイッチ本体６１０から抜けないようになっている。なお、コイルバネ６４９の付勢力に抗して可動部材６３０を軸方向先端側へ押圧すると、可動部材６３０は更にスイッチ本体６１０内へ没入し、可動部材６３０における外筒部６３５の先端が仕切り部６１３と当接することで、可動部材６３０の軸方向先端側の移動端が規制されるようになっている。そして、係合爪６３６が被係合部６１７と係合する位置から外筒部６３５の先端が仕切り部６１３と当接する位置までが、可動部材６３０の可動範囲（可動ストローク）となっている。
【０１７９】
スイッチ本体６１０に可動部材６３０を組付けたら、次は、スイッチ本体６１０の軸方向先端側からストッパ部材６８０を、その平坦形状の面を仕切り部６１３側に向けてスイッチ本体６１０内へ挿入する。その際に、仕切り部６１３から軸方向先端側へ延びだした可動部材６３０の検知片６３１が、ストッパ部材６８０に形成された通孔６８１を通過できる向きにストッパ部材６８０を向けて、スイッチ本体６１０内へ挿入する。このストッパ部材６８０がスイッチ本体６１０内に挿入されることで、ストッパ部材６８０の外周が係合爪６３６の軸直角方向内側に配置され、係合爪６３６が軸直角方向内方へ移動して、被係合部６１７との係合が解除されるのを阻止して、軸方向基端側から可動部材６３０が不正に取外されるのを防止できるようになっている。
【０１８０】
スイッチ本体６１０内にストッパ部材６８０を挿入したら、続いて、電装基板６６０を、軸方向先端側から仕切り部６１３とでストッパ部材６８０を挟むようにスイッチ本体６１０内へ挿入する。この際に、電装基板６６０に保持された可動検知手段６５０が、可動部材６３０の検知片６３１を検知できる向きに電装基板６６０を向けて、スイッチ本体６１０内へ挿入する。
【０１８１】
そして、電装基板６６０が挿入されたスイッチ本体６１０の軸方向先端側に、更に、先端キャップ６７０を挿入し、スイッチ本体６１０先端の係止爪６２４に、先端キャップ６７０の係止部６７１を係止させることで先端キャップ６７０をスイッチ本体６１０に組付ける。これにより、スイッチ本体６１０内に挿入されたストッパ部材６８０及び電装基板６６０が、仕切り部６１３と先端キャップ６７０とで挟持され、スイッチ本体６１０から抜け出るのを防止され、ＭＡＸ投入ボタン２０６の組立てが完了する。
【０１８２】
次に、組立てられたＭＡＸ投入ボタン２０６を、スロットマシン１の扉形前面部材２００に備えられたスイッチ支持部材６００の取付孔６０１に対して、ＭＡＸ投入ボタン２０６の軸方向先端側（先端キャップ６７０が組付けられた側）を取付孔６０１に向けて、スロットマシン１の表側から取付孔６０１へ挿入する。取付孔６０１へ挿入されたＭＡＸ投入ボタン２０６は、その外周壁から突出する固定片６１４のガイド部６１５が、取付孔６０１の周縁と当接すると、ガイド部６１５のカム作用によって、ガイド部６１５と共に固定片６１４が軸直角方向内方へ移動して、固定片６１４が取付孔６０１を通過可能な状態となる。
【０１８３】
そして、ＭＡＸ投入ボタン２０６の固定片６１４が、取付孔６０１を通過すると、ガイド部６１５によるカム作用が無くなって、固定片６１４の弾性力により、外周壁から突出した状態に復帰すると共に、突出した固定片６１４とフランジ部６１２とでスイッチ支持部材６００が挟持され、ＭＡＸ投入ボタン２０６がスイッチ支持部材６００の取付孔６０１に取付固定される。一方、ＭＡＸ投入ボタン２０６を取外す場合は、スロットマシン１の扉形前面部材２００を開いて、その内側から固定片６１４をスイッチ本体６１０内に没入させた状態で、ＭＡＸ投入ボタン２０６全体を表側へ向かって押すことで、ＭＡＸ投入ボタン２０６を容易に取外すことができる。
【０１８４】
なお、ここでは、ＭＡＸ投入ボタン２０６の構成について説明したが、１枚投入ボタン２０５、メダル返却ボタン２０８、貯留解除スイッチ２０９、リール停止ボタン２１１ａ，２１１ｂ，２１１ｃ等も、略同様の構成となっている。
【０１８５】
ところで、スロットマシン１では、遊技者が始動レバー２１０を操作したタイミングに基づいて当落の抽選を行っており、始動レバー本体２１０ａと始動レバー２１０が操作されたことを受信する抽選手段（メイン基板４０９）との間に不正な装置を介在させて始動信号のタイミングをずらすことにより、容易に当選させる等の不正行為が行われている。そして、その不正行為を行うために、始動レバー本体２１０ａに近接して備えられたＭＡＸ投入ボタンをスイッチ支持部材６００から取外して、取付孔６０１から始動レバー本体２１０ａのコネクタ近辺に不正な装置を介在させるようにしており、不正行為が行われないような不正対策が望まれていた。
【０１８６】
そこで、本実施形態のスロットマシン１におけるＭＡＸ投入ボタン２０６によると、スイッチ本体６１０と可動部材６３０との間にマイナスドライバ等の工具を差込んで、被係合部６１７との係合が解除される軸直角方向内方へ係合爪６３６を変形（移動）させようとしても、ストッパ部材６８０によって係合爪６３６の移動が阻止されて、被係合部６１７との係合が維持されることとなり、可動部材６３０がスイッチ本体６１０から不正に取外されるのを防止することができる。従って、ＭＡＸ投入ボタン２０６の可動部材６３０が取外されてスロットマシン１（具体的には、操作レバー２１０）に対して不正行為が行われるのを防止することができる。
【０１８７】
また、ＭＡＸ投入ボタン２０６を、軸方向先端側からスイッチ支持部材６００の取付孔６０１に挿入すると、取付孔６０１の周縁部がガイド部６１５と当接し、軸直角方向に移動可能とされた固定片６１４がガイド部６１５のカム作用によって軸直角方向内方へ移動してスイッチ本体６１０内へと没入し、取付孔６０１を通過できるようになる。そして、取付孔６０１を通過して固定片６１４がスイッチ支持部材６００の裏側に達すると、本体部６１１から突出した状態に自動的に復帰して、フランジ部６１２と固定片６１４とでスイッチ支持部材６００を挟持することとなり、ＭＡＸ投入ボタン２０６がスイッチ支持部材６００に取付固定される。一方、ＭＡＸ投入ボタン２０６を取外す場合は、スロットマシン１の内側から固定片６１４をスイッチ本体６１０内に没入させた状態で、ＭＡＸ投入ボタン２０６全体を表側へ向かって押すことで、ＭＡＸ投入ボタン２０６を容易に取外すことができる。従って、従来のＭＡＸ投入ボタン２０６のようにスロットマシン１の裏側からナットを回す必要がなく、固定片６１４を没入させることでＭＡＸ投入ボタン２０６を簡単に取付孔６０１へ取付けたり、取外したりすることができ、ＭＡＸ投入ボタン２０６等の取付作業や交換作業を容易にすることができる。
【０１８８】
更に、可動部材６３０を付勢するコイルバネ６４９の軸方向先端側をスイッチ本体６１０の仕切り部６１３により支持することができるので、従来のように先端キャップ等の係止部を介してコイルバネを支持するようにしておらず、より強い力が作用しても確実にコイルバネ６４９を支持することができ、破損し難いＭＡＸ投入ボタン２０６とすることができると共に、コイルバネ６４９からの力をスイッチ本体６１０の仕切り部６１３によって支持するようにしているので、コイルバネ６４９から可動検知手段６５０や可動検知手段６５０を保持する電装基板６６０に力が作用するのを防止することができ、ＭＡＸ投入ボタン２０６において電気的な不具合が発生するのを防止することができる。
【０１８９】
また、筒状の本体部６１１を仕切り部６１３によって軸方向基端側と先端側とに仕切っているので、仮に可動部材６３０が不正に取外されても、本体部６１１が仕切り部６１３によって閉鎖されているので、そのままでは不正行為を行うことができず、不正行為を行うためには更にスイッチ本体６１０を取付孔６０１から取外さなければならず、不正行為のし難いＭＡＸ投入ボタン２０６とすることができる。
【０１９０】
更に、スイッチ本体６１０における固定片６１４を、本体部６１１の軸方向基端と仕切り部６１３との間に配置するようにしているので、スイッチ支持部材６００の厚さが薄くても、軸方向基端から仕切り部６１３までの距離を充分に取ることが可能となり、可動部材６３０の可動範囲（ストローク）が小さくなるのを抑制することができ、明確な操作感の得られるＭＡＸ投入ボタン２０６とすることができる。
【０１９１】
また、スイッチ本体６１０内に可動部材６３０を挿入した上で、スイッチ本体６１０の軸方向先端側からストッパ部材６８０をスイッチ本体６１０内に挿入して本体部６１１の軸方向先端部に先端キャップ６７０を係止するだけで、ＭＡＸ投入ボタン２０６を容易に組立てることができ、ＭＡＸ投入ボタン２０６の組立てにかかるコストが増加するのを抑制することができる。
【０１９２】
また、可動部材６３０の係合爪６３６を、スイッチ本体６１０の仕切り部６１３よりも軸方向先端側に位置するようにしているので、ＭＡＸ投入ボタン２０６の表側からスイッチ本体６１０と可動部材６３０との間にマイナスドライバ等の工具を差込んで、係合爪６３６の係合を解除しようとしても、仕切り部６１３が障害となって係合爪６３６を移動させ難くすることができ、可動部材６３０を取外して不正行為を行おうとするのを抑制することができる。
【０１９３】
更に、ストッパ部材６８０を係合爪６３６の内側に配置すれば係合爪６３６の軸直角方向内方への移動を阻止することができるので、複数の係合爪６３６を備えていても、一つのストッパ部材６８０で対応することができ、ストッパ部材６８０にかかるコストを低減させることができる。従って、ＭＡＸ投入ボタン２０６の製造にかかるコストを効果的に抑制することができる。
【０１９４】
また、係合爪６３６をスイッチ本体６１０の本体部６１１内面に可及的に近づけた位置に配置することができるので、相対的に、スイッチ本体６１０内を広くすることができ、可動検知手段６５０を確実に収納させてスイッチとしての機能を確実に備えたものとすることができると共に、可動検知手段６５０の他にＬＥＤ６６１等を備えることが可能となり、より機能性の高いＭＡＸ投入ボタン２０６とすることができる。
【０１９５】
更に、遊技を開始させる始動レバー２１０から所定範囲内に配置されたＭＡＸ投入ボタン２０６を、上記した構造としており、始動レバー２１０に対して不正行為を行うために、ＭＡＸ投入ボタン２０６を取外そうとしても、上記したように、ストッパ部材６８０により可動部材６３０の係合爪６３６の係合が解除されるのを阻止して、ＭＡＸ投入ボタン２０６を取外すことができないので、不正行為を行うことができず、不正行為を防止することが可能なスロットマシン１とすることができる。
【０１９６】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【０１９７】
すなわち、上記の実施形態では、遊技機としてスロットマシン１を示したが、スロットマシン以外の遊技機、例えば、パチンコ機や、パチンコ機とスロットマシンとを融合させてなる遊技機等であっても本発明を適用することができる。
【０１９８】
また、本実施形態では、操作スイッチとしてＭＡＸ投入ボタン２０６に適用したものを示したが、これに限定するものではなく、１枚投入ボタン２０５、メダル返却ボタン２０８、貯留解除スイッチ２０９、リール停止ボタン２１１ａ，２１１ｂ，２１１ｃ等も、同様の構成としても良く、上記と同様の作用効果を奏することができる。
【図面の簡単な説明】
【０１９９】
【図１】スロットマシンの分解斜視図である。
【図２】扉形前面部材を省略した状態を示すスロットマシンの分解斜視図である。
【図３】スロットマシンの斜視図である。
【図４】扉形前面部材を省略した状態を示すスロットマシンの縦断面図である。
【図５】図４のＺ１部拡大図である。
【図６】コネクタホルダーを移動させた状態を示す図４のＺ１部拡大図である。
【図７】扉形前面部材を省略した状態を示すスロットマシンの横断面図である。
【図８】（ａ）は図７のＺ２部拡大図、（ｂ）はコネクタホルダーを移動させた状態を示す図７のＺ２部拡大図である。
【図９】図８（ａ）の要部を示す拡大図である。
【図１０】背板側を示すスロットマシン要部の横断面図である。
【図１１】ケース部材の分解斜視図である。
【図１２】ケース部材を後ろから見た斜視図である。
【図１３】（ａ），（ｂ）はコネクタホルダーの仮止め状態を説明するケース部材の要部の斜視図である。
【図１４】配線中継部材の分解斜視図である。
【図１５】配線中継部材のカバー体を省略した正面図である。
【図１６】コネクタホルダーの分解斜視図である。
【図１７】ケース部材を止めるストッパーの斜視図である。
【図１８】他の形態を示すストッパーの斜視図である。
【図１９】ケース部材のガイド構造を示す要部の断面図である。
【図２０】ケース部材のガイド構造を示す要部の断面図である。
【図２１】把手の他の形態を示す図柄変動表示装置の部分斜視図である。
【図２２】ケース部材と外本体側のストッパーとの関係を示す要部の斜視図である。
【図２３】配線窓と図柄変動表示装置のリールとの関係を示す要部の断面図である。
【図２４】ＭＡＸ投入ボタンをスロットマシンに取付けた状態で切断して示す断面図である。
【図２５】（Ａ）はＭＡＸ投入ボタンを左右方向に切断して示す断面図であり、（Ｂ）はＭＡＸ投入ボタンを前後方向に切断して示す断面図である。
【図２６】ＭＡＸ投入ボタンを分解して示す分解斜視図である。
【符号の説明】
【０２００】
１  スロットマシン
２００  扉形前面部材
２０６  ＭＡＸ投入ボタン（操作スイッチ）
２１０  始動レバー
２１０ａ  始動レバー本体
６００  スイッチ支持部材
６０１  取付孔
６１０  スイッチ本体
６１１  本体部
６１２  フランジ部
６１３  仕切り部
６１４  固定片
６１５  ガイド部
６１６  係合爪通過孔
６１７  被係合部
６２４  係止爪
６３０  可動部材
６３１  検知片
６３６  係合爪
６４９  コイルバネ（付勢手段）
６５０  可動検知手段
６６０  電装基板
６６１  ＬＥＤ（発光手段）
６７０  先端キャップ
６８０  ストッパ部材
【図１】
2008073104.tif 000003
【図２】
2008073104.tif 000004
【図３】
2008073104.tif 000005
【図４】
2008073104.tif 000006
【図５】
2008073104.tif 000007
【図６】
2008073104.tif 000008
【図７】
2008073104.tif 000009
【図８】
2008073104.tif 000010
【図９】
2008073104.tif 000011
【図１０】
2008073104.tif 000012
【図１１】
2008073104.tif 000013
【図１２】
2008073104.tif 000014
【図１３】
2008073104.tif 000015
【図１４】
2008073104.tif 000016
【図１５】
2008073104.tif 000017
【図１６】
2008073104.tif 000018
【図１７】
2008073104.tif 000019
【図１８】
2008073104.tif 000020
【図１９】
2008073104.tif 000021
【図２０】
2008073104.tif 000022
【図２１】
2008073104.tif 000023
【図２２】
2008073104.tif 000024
【図２３】
2008073104.tif 000025
【図２４】
2008073104.tif 000026
【図２５】
2008073104.tif 000027
【図２６】
2008073104.tif 000028